(57)【要約】本発明は無線通信システムに関するもので、無線通信システムにおいてダウンリンク参照信号を転送する方法及び装置が開示される。本発明の一実施例に係る複数個のレイヤーを用いて基地局がダウンリンク信号を転送する方法は、ダウンリンクサブフレームのデータ領域上で参照信号パターンに基づいて前記複数個のレイヤーに対する参照信号を多重化して転送し、前記ダウンリンクサブフレームのデータ領域上で前記複数個のレイヤーに対するデータを転送することを含み、前記複数個のレイヤーに対する参照信号は、受信端で前記複数個のレイヤーに対するデータを復調するために用いられる専用参照信号（ＤＲＳ）である。【選択図】図３１
2013507033.tif 000002
【特許請求の範囲】
【請求項１】
複数個のレイヤーを用いて基地局がダウンリンク信号を転送する方法であって、
ダウンリンクサブフレームのデータ領域上で参照信号パターンに基づいて前記複数個のレイヤーに対する参照信号を多重化して転送し、
前記ダウンリンクサブフレームのデータ領域上で前記複数個のレイヤーに対するデータを転送すること、を含み、
前記複数個のレイヤーに対する参照信号は、受信端で前記複数個のレイヤーに対するデータを復調するために用いられる専用参照信号（Ｄｅｄｉｃａｔｅｄ  Ｒｅｆｅｒｅｎｃｅ  Ｓｉｇｎａｌ）であり、
前記参照信号の多重化は、前記参照信号のパターンに含まれる２４個のリソース要素位置を６個のグループに設定し、前記６個のグループを２個の上位グループに設定し、前記２個の上位グループに前記複数個のレイヤーに対する参照信号を配分し、同じグループに配置される２以上のレイヤーに対する参照信号は、コード分割多重化（Ｃｏｄｅ  Ｄｉｖｉｓｉｏｎ  Ｍｕｌｔｉｐｌｅｘｉｎｇ）されることを含む、ダウンリンク信号転送方法。
【請求項２】
前記レイヤーの個数が２の場合に、２個のレイヤーに対する参照信号は一つの上位グループにのみ配置される、請求項１に記載のダウンリンク信号転送方法。
【請求項３】
前記レイヤーの個数が３、５または７の場合に、前記複数個のレイヤーに対する参照信号は、一つの上位グループに、他の上位グループに比べて一つのレイヤーに対する参照信号がさらに配置される、請求項１に記載のダウンリンク信号転送方法。
【請求項４】
前記レイヤーの個数が４、６または８の場合に、前記複数個のレイヤーに対する参照信号は、前記２個の上位グループに同じ個数のレイヤーに対する参照信号が配置される、請求項１に記載のダウンリンク信号転送方法。
【請求項５】
前記参照信号のコード分割多重化は、
同じ周波数リソース上で互いに異なる時間リソースにわたって直交コードがかけられる方式、及び同じ時間リソース上で互いに異なる周波数リソースにわたって直交コードがかけられる方式の１以上の方式を用いる、請求項１に記載のダウンリンク信号転送方法。
【請求項６】
複数個のレイヤーを用いて端末がダウンリンク信号を受信する方法であって、
ダウンリンクサブフレームのデータ領域上で参照信号パターンに基づいて多重化された前記複数個のレイヤーに対する参照信号を受信し、
前記ダウンリンクサブフレームのデータ領域上で前記複数個のレイヤーに対するデータを受信し、
前記複数個のレイヤーに対する参照信号を用いて前記複数個のレイヤーに対するデータを復調すること、を含み、
前記複数個のレイヤーに対する参照信号は、専用参照信号（Ｄｅｄｉｃａｔｅｄ  Ｒｅｆｅｒｅｎｃｅ  Ｓｉｇｎａｌ）であり、
前記参照信号の多重化は、前記参照信号のパターンに含まれる２４個のリソース要素位置を６個のグループに設定し、前記６個のグループを２個の上位グループに設定し、前記２個の上位グループに前記複数個のレイヤーに対する参照信号を配分し、同じグループに配置される２以上のレイヤーに対する参照信号は、コード分割多重化（Ｃｏｄｅ  Ｄｉｖｉｓｉｏｎ  Ｍｕｌｔｉｐｌｅｘｉｎｇ）されることを含む、ダウンリンク信号受信方法。
【請求項７】
前記レイヤーの個数が２の場合に、２個のレイヤーに対する参照信号は一つの上位グループにのみ配置される、請求項６に記載のダウンリンク信号受信方法。
【請求項８】
前記レイヤーの個数が３、５または７の場合に、前記複数個のレイヤーに対する参照信号は、一つの上位グループに、他の上位グループに比べて一つのレイヤーに対する参照信号がさらに配置される、請求項６に記載のダウンリンク信号受信方法。
【請求項９】
前記レイヤーの個数が４、６または８の場合に、前記複数個のレイヤーに対する参照信号は、前記２個の上位グループに同じ個数のレイヤーに対する参照信号が配置される、請求項６に記載のダウンリンク信号受信方法。
【請求項１０】
前記参照信号のコード分割多重化は、
同じ周波数リソース上で互いに異なる時間リソースにわたって直交コードがかけられる方式、及び同じ時間リソース上で互いに異なる周波数リソースにわたって直交コードがかけられる方式の１以上の方式を用いる、請求項６に記載のダウンリンク信号受信方法。
【請求項１１】
複数個のレイヤーを用いてダウンリンク信号を転送する基地局であって、
複数個のアンテナと、
前記複数個のアンテナを通して端末から信号を受信する受信モジュールと、
前記複数個のアンテナを通して前記端末に信号を転送する転送モジュールと、
前記複数個のアンテナ、前記受信モジュール及び前記転送モジュールを含む前記基地局を制御するプロセッサと、
を含み、
前記プロセッサは、
前記転送モジュールを介して、ダウンリンクサブフレームのデータ領域上で参照信号パターンに基づいて前記複数個のレイヤーに対する参照信号を多重化して転送し、
前記転送モジュールを介して、前記ダウンリンクサブフレームのデータ領域上で前記複数個のレイヤーに対するデータを転送するように構成され、
前記複数個のレイヤーに対する参照信号は、前記端末が前記複数個のレイヤーに対するデータを復調するために用いられる専用参照信号（Ｄｅｄｉｃａｔｅｄ  Ｒｅｆｅｒｅｎｃｅ  Ｓｉｇｎａｌ）であり、
前記参照信号の多重化は、前記参照信号のパターンに含まれる２４個のリソース要素位置を６個のグループに設定し、前記６個のグループを２個の上位グループに設定し、前記２個の上位グループに前記複数個のレイヤーに対する参照信号を配分し、同じグループに配置される２以上のレイヤーに対する参照信号はコード分割多重化（Ｃｏｄｅ  Ｄｉｖｉｓｉｏｎ  Ｍｕｌｔｉｐｌｅｘｉｎｇ）されることを含む、ダウンリンク信号転送基地局。
【請求項１２】
複数個のレイヤーを用いてダウンリンク信号を受信する端末であって、
複数個のアンテナと、
前記複数個のアンテナを通して基地局から信号を受信する受信モジュールと、
前記複数個のアンテナを通して前記基地局に信号を転送する転送モジュールと、
前記複数個のアンテナ、前記受信モジュール及び前記転送モジュールを含む前記基地局を制御するプロセッサと、
を含み、
前記プロセッサは、
前記受信モジュールを介して、ダウンリンクサブフレームのデータ領域上で参照信号パターンに基づいて多重化された前記複数個のレイヤーに対する参照信号を受信し、
前記受信モジュールを介して、前記ダウンリンクサブフレームのデータ領域上で前記複数個のレイヤーに対するデータを受信し、
前記複数個のレイヤーに対する参照信号を用いて前記複数個のレイヤーに対するデータを復調するように構成され、
前記複数個のレイヤーに対する参照信号は、専用参照信号（Ｄｅｄｉｃａｔｅｄ  Ｒｅｆｅｒｅｎｃｅ  Ｓｉｇｎａｌ）であり、
前記参照信号の多重化は、前記参照信号のパターンに含まれる２４個のリソース要素位置を６個のグループに設定し、前記６個のグループを２個の上位グループに設定し、前記２個の上位グループに前記複数個のレイヤーに対する参照信号を配分し、同じグループに配置される２以上のレイヤーに対する参照信号はコード分割多重化（Ｃｏｄｅ  Ｄｉｖｉｓｉｏｎ  Ｍｕｌｔｉｐｌｅｘｉｎｇ）されることを含む、ダウンリンク信号受信端末。
【発明の詳細な説明】
【技術分野】
【０００１】
以下の説明は、無線通信システムに係り、特に、無線通信システムにおいてダウンリンク参照信号を転送する方法及び装置に関するものである。
【背景技術】
【０００２】
多重入出力（Ｍｕｌｔｉｐｌｅ  Ｉｎｐｕｔ  Ｍｕｌｔｉｐｌｅ  Ｏｕｔｐｕｔ；ＭＩＭＯ）システムとは、多重送信アンテナ及び多重受信アンテナを用いてデータの送受信効率を向上させるシステムのことをいう。ＭＩＭＯ技術は、空間ダイバーシティ（Ｓｐａｔｉａｌ  ｄｉｖｅｒｓｉｔｙ）手法と空間多重化（Ｓｐａｔｉａｌ  ｍｕｌｔｉｐｌｅｘｉｎｇ）手法がある。空間ダイバーシティ手法は、ダイバーシティ利得（ｇａｉｎ）により転送信頼度（ｒｅｌｉａｂｉｌｉｔｙ）を高くしたりセル半径を広くしたりすることができ、高速で移動する端末に対するデータ転送に適している。空間多重化手法は、互いに異なるデータを同時に転送することによって、システムの帯域幅を増加させることなくデータ転送率を増加させることができる。
【０００３】
ＭＩＭＯシステムでは、それぞれの送信アンテナごとに独立したデータチャネルを有する。送信アンテナは、仮想アンテナ（ｖｉｒｔｕａｌ  ａｎｔｅｎｎａ）または物理アンテナ（ｐｈｙｓｉｃａｌ  ａｎｔｅｎｎａ）のことを指すことができる。受信機は、送信アンテナのそれぞれに対してチャネルを推定し、各送信アンテナから送信されたデータを受信する。チャネル推定（ｃｈａｎｎｅｌ  ｅｓｔｉｍａｔｉｏｎ）は、フェーディング（ｆａｄｉｎｇ）に起因する信号の歪みを補償することで受信した信号を復元する過程のことをいう。ここで、フェーディングとは、無線通信システム環境で多重経路（ｍｕｌｔｉ  ｐａｔｈ）−時間遅延（ｔｉｍｅ  ｄｅｌａｙ）によって信号の強度が急に変動する現象を指す。チャネル推定のためには、送信機及び受信機が両方とも知っている参照信号（ｒｅｆｅｒｅｎｃｅ  ｓｉｇｎａｌ）が必要とされる。また、参照信号を、簡単にＲＳ（Ｒｅｆｅｒｅｎｃｅ  Ｓｉｇｎａｌ）、または適用される標準によってパイロット（Ｐｉｌｏｔ）と呼ぶこともできる。
【０００４】
ダウンリンク参照信号（ｄｏｗｎｌｉｎｋ  ｒｅｆｅｒｅｎｃｅ  ｓｉｇｎａｌ）は、ＰＤＳＣＨ（Ｐｈｙｓｉｃａｌ  Ｄｏｗｎｌｉｎｋ  Ｓｈａｒｅｄ  ＣＨａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などのコヒーレント（ｃｏｈｅｒｅｎｔ）復調のためのパイロット信号である。ダウンリンク参照信号には、セル内の全ての端末が共有する共用参照信号（Ｃｏｍｍｏｎ  Ｒｅｆｅｒｅｎｃｅ  Ｓｉｇｎａｌ；ＣＲＳ）、及び特定端末のみのための専用参照信号（Ｄｅｄｉｃａｔｅｄ  Ｒｅｆｅｒｅｎｃｅ  Ｓｉｇｎａｌ；ＤＲＳ）がある。共用参照信号をセル−特定（ｃｅｌｌ−ｓｐｅｃｉｆｉｃ）参照信号、専用参照信号を端末−特定（ＵＥ−ｓｐｅｃｉｆｉｃ）参照信号と呼ぶこともできる。
【０００５】
参照信号を無線リソース（Ｒａｄｉｏ  Ｒｅｓｏｕｒｃｅ）上に配置するに当たって考慮すべき種々の事項がある。すなわち、参照信号に割り当てられる無線リソースの量、専用参照信号及び共用参照信号の排他的配置、ＰＤＣＣＨなどの配置される制御領域（Ｃｏｎｔｒｏｌ  Ｒｅｇｉｏｎ）の位置、専用参照信号の密度などを考慮しなければならない。もし参照信号に多くのリソースが割り当てられると、参照信号の密度が高くなることから高いチャネル推定性能を得ることはできるが、データ転送率が相対的に低くなることがある。もし、参照信号に少ないリソースが割り当てられると、高いデータ転送率を得ることはできるが、参照信号の密度が低くなってチャネル推定性能が劣化することにつながる。
【０００６】
そこで、ＭＩＭＯ転送においてチャネル推定性能を向上させると共にシステムオーバーヘッドの増加を防止できるように専用参照信号を無線リソース上に效率的に配置する方案が要求される。
【発明の概要】
【発明が解決しようとする課題】
【０００７】
本発明は、ＭＩＭＯ転送において専用参照信号を效率的に設計する方案を提供し、チャネル推定性能を高めると共にシステムオーバーヘッドの増加を防止するように無線リソース上で適切に配置された専用参照信号を転送する方法及び装置を提供することを技術的課題とする。
【課題を解決するための手段】
【０００８】
上記の技術的課題を解決するために、本発明の一実施例に係る複数個のレイヤーを用いて基地局がダウンリンク信号を転送する方法は、ダウンリンクサブフレームのデータ領域上で参照信号パターンに基づいて前記複数個のレイヤーに対する参照信号を多重化して転送し、前記ダウンリンクサブフレームのデータ領域上で前記複数個のレイヤーに対するデータを転送すること、を含み、前記複数個のレイヤーに対する参照信号は、受信端で前記複数個のレイヤーに対するデータを復調するために用いられる専用参照信号（Ｄｅｄｉｃａｔｅｄ  Ｒｅｆｅｒｅｎｃｅ  Ｓｉｇｎａｌ）であり、前記参照信号の多重化は、前記参照信号のパターンに含まれる２４個のリソース要素位置を６個のグループに設定し、前記６個のグループを２個の上位グループに設定し、前記２個の上位グループに前記複数個のレイヤーに対する参照信号を配分し、同じグループに配置される２以上のレイヤーに対する参照信号は、コード分割多重化（Ｃｏｄｅ  Ｄｉｖｉｓｉｏｎ  Ｍｕｌｔｉｐｌｅｘｉｎｇ）されることを含むことができる。
【０００９】
好適には、前記レイヤーの個数が２の場合に、２個のレイヤーに対する参照信号は一つの上位グループにのみ配置される。
【００１０】
好適には、前記レイヤーの個数が３、５または７の場合に、前記複数個のレイヤーに対する参照信号は、一つの上位グループに、他の上位グループに比べて一つのレイヤーに対する参照信号がさらに配置される。
【００１１】
好適には、前記レイヤーの個数が４、６または８の場合に、前記複数個のレイヤーに対する参照信号は、前記２個の上位グループに同じ個数のレイヤーに対する参照信号が配置される。
【００１２】
また、前記参照信号のコード分割多重化は、同じ周波数リソース上で互いに異なる時間リソースにわたって直交コードがかけられる方式、及び同じ時間リソース上で互いに異なる周波数リソースにわたって直交コードがかけられる方式の１以上の方式を用いることができる。
【００１３】
上記の技術的課題を解決するために、本発明の他の実施例に係る複数個のレイヤーを用いて端末がダウンリンク信号を受信する方法は、ダウンリンクサブフレームのデータ領域上で参照信号パターンに基づいて多重化された前記複数個のレイヤーに対する参照信号を受信し、前記ダウンリンクサブフレームのデータ領域上で前記複数個のレイヤーに対するデータを受信し、前記複数個のレイヤーに対する参照信号を用いて前記複数個のレイヤーに対するデータを復調すること、を含み、前記複数個のレイヤーに対する参照信号は、専用参照信号（Ｄｅｄｉｃａｔｅｄ  Ｒｅｆｅｒｅｎｃｅ  Ｓｉｇｎａｌ）であり、前記参照信号の多重化は、前記参照信号のパターンに含まれる２４個のリソース要素位置を６個のグループに設定し、前記６個のグループを２個の上位グループに設定し、前記２個の上位グループに前記複数個のレイヤーに対する参照信号を配分し、同じグループに配置される２以上のレイヤーに対する参照信号は、コード分割多重化（Ｃｏｄｅ  Ｄｉｖｉｓｉｏｎ  Ｍｕｌｔｉｐｌｅｘｉｎｇ）されることを含むことができる。
【００１４】
好適には、前記レイヤーの個数が２の場合に、２個のレイヤーに対する参照信号は一つの上位グループにのみ配置される。
【００１５】
好適には、前記レイヤーの個数が３、５または７の場合に、前記複数個のレイヤーに対する参照信号は、一つの上位グループに、他の上位グループに比べて一つのレイヤーに対する参照信号がさらに配置される。
【００１６】
好適には、前記レイヤーの個数が４、６または８の場合に、前記複数個のレイヤーに対する参照信号は、前記２個の上位グループに同じ個数のレイヤーに対する参照信号が配置される。
【００１７】
また、前記参照信号のコード分割多重化は、同じ周波数リソース上で互いに異なる時間リソースにわたって直交コードがかけられる方式、及び同じ時間リソース上で互いに異なる周波数リソースにわたって直交コードがかけられる方式の１以上の方式を用いることができる。
【００１８】
上記の技術的課題を解決するために、本発明のさらに他の実施例に係る複数個のレイヤーを用いてダウンリンク信号を転送する基地局は。
【００１９】
複数個のアンテナと、前記複数個のアンテナを通して端末から信号を受信する受信モジュールと、前記複数個のアンテナを通して前記端末に信号を転送する転送モジュールと、前記複数個のアンテナ、前記受信モジュール及び前記転送モジュールを含む前記基地局を制御するプロセッサと、を含み、前記プロセッサは、前記転送モジュールを介して、ダウンリンクサブフレームのデータ領域上で参照信号パターンに基づいて前記複数個のレイヤーに対する参照信号を多重化して転送し、前記転送モジュールを介して、前記ダウンリンクサブフレームのデータ領域上で前記複数個のレイヤーに対するデータを転送するように構成され、前記複数個のレイヤーに対する参照信号は、前記端末が前記複数個のレイヤーに対するデータを復調するために用いられる専用参照信号（Ｄｅｄｉｃａｔｅｄ  Ｒｅｆｅｒｅｎｃｅ  Ｓｉｇｎａｌ）であり、前記参照信号の多重化は、前記参照信号のパターンに含まれる２４個のリソース要素位置を６個のグループに設定し、前記６個のグループを２個の上位グループに設定し、前記２個の上位グループに前記複数個のレイヤーに対する参照信号を配分し、同じグループに配置される２以上のレイヤーに対する参照信号はコード分割多重化（Ｃｏｄｅ  Ｄｉｖｉｓｉｏｎ  Ｍｕｌｔｉｐｌｅｘｉｎｇ）されることを含むことができる。
【００２０】
上記の技術的課題を解決するために、本発明のさらに他の実施例に係る複数個のレイヤーを用いてダウンリンク信号を受信する端末は、複数個のアンテナと、前記複数個のアンテナを通して基地局から信号を受信する受信モジュールと、前記複数個のアンテナを通して前記基地局に信号を転送する転送モジュールと、前記複数個のアンテナ、前記受信モジュール及び前記転送モジュールを含む前記基地局を制御するプロセッサと、を含み、前記プロセッサは、前記受信モジュールを介して、ダウンリンクサブフレームのデータ領域上で参照信号パターンに基づいて多重化された前記複数個のレイヤーに対する参照信号を受信し、前記受信モジュールを介して、前記ダウンリンクサブフレームのデータ領域上で前記複数個のレイヤーに対するデータを受信し、前記複数個のレイヤーに対する参照信号を用いて前記複数個のレイヤーに対するデータを復調するように構成され、前記複数個のレイヤーに対する参照信号は、専用参照信号（Ｄｅｄｉｃａｔｅｄ  Ｒｅｆｅｒｅｎｃｅ  Ｓｉｇｎａｌ）であり、前記参照信号の多重化は、前記参照信号のパターンに含まれる２４個のリソース要素位置を６個のグループに設定し、前記６個のグループを２個の上位グループに設定し、前記２個の上位グループに前記複数個のレイヤーに対する参照信号を配分し、同じグループに配置される２以上のレイヤーに対する参照信号はコード分割多重化（Ｃｏｄｅ  Ｄｉｖｉｓｉｏｎ  Ｍｕｌｔｉｐｌｅｘｉｎｇ）されることを含むことができる。
【発明の効果】
【００２１】
上述した本発明の各実施形態によれば、チャネル推定性能を高めると共にシステムオーバーヘッドの増加を防止するように無線リソース上で適切に配置された専用参照信号を転送する方法及び装置を提供することができる。
【００２２】
本発明で得られる効果は、以上に言及した効果に制限されず、言及していない他の効果は、下の記載から、本発明が属する技術の分野における通常の知識を有する者には明らかになるだろう。
【図面の簡単な説明】
【００２３】
【図１】多重アンテナを備えている送信機の構造を示すブロック図である。
【図２】ダウンリンク無線フレームの構造を示す図である。
【図３】一つのダウンリンクスロットに対するリソースグリッド（ｒｅｓｏｕｒｃｅ  ｇｒｉｄ）の一例を示す例示図である。
【図４】ダウンリンクサブフレームの構造を示す図である。
【図５】３ＧＰＰ  ＬＴＥシステムにおける共用参照信号（ＣＲＳ）及び専用参照信号（ＤＲＳ）のパターンを説明するための図である。
【図６】本発明の一実施例に係るＤＲＳパターンを説明するための図である。
【図７】ＤＲＳをＣＤＭ方式で多重化する本発明の様々な実施例を説明するための図である。
【図８】ＤＲＳをＣＤＭ方式で多重化する本発明の様々な実施例を説明するための図である。
【図９】ＤＲＳをＣＤＭ方式で多重化する本発明の様々な実施例を説明するための図である。
【図１０】ＤＲＳをＣＤＭ方式で多重化する本発明の様々な実施例を説明するための図である。
【図１１】ＤＲＳをＣＤＭ方式で多重化する本発明の様々な実施例を説明するための図である。
【図１２】図６のＤＲＳパターンを用いてＤＲＳを多重化する本発明の様々な実施例を説明するための図である。
【図１３】図６のＤＲＳパターンを用いてＤＲＳを多重化する本発明の様々な実施例を説明するための図である。
【図１４】図６のＤＲＳパターンを用いてＤＲＳを多重化する本発明の様々な実施例を説明するための図である。
【図１５】図６のＤＲＳパターンを用いてＤＲＳを多重化する本発明の様々な実施例を説明するための図である。
【図１６】本発明に適用可能なＤＲＳパターンの様々な変形例を示す図である。
【図１７】本発明に適用可能なＤＲＳパターンの様々な変形例を示す図である。
【図１８】本発明に適用可能なＤＲＳパターンの様々な変形例を示す図である。
【図１９】本発明に適用可能なＤＲＳパターンの様々な変形例を示す図である。
【図２０】本発明に適用可能なＤＲＳパターンの様々な変形例を示す図である。
【図２１】本発明に適用可能なＤＲＳパターンの様々な変形例を示す図である。
【図２２】本発明に適用可能なＤＲＳパターンの様々な変形例を示す図である。
【図２３】本発明に適用可能なＤＲＳパターンの様々な変形例を示す図である。
【図２４】本発明に適用可能なＤＲＳパターンの様々な変形例を示す図である。
【図２５】本発明に適用可能なＤＲＳパターンの様々な変形例を示す図である。
【図２６】本発明に適用可能なＤＲＳパターンの様々な変形例を示す図である。
【図２７】本発明に適用可能なＤＲＳパターンの様々な変形例を示す図である。
【図２８】本発明に適用可能なＤＲＳパターンの様々な変形例を示す図である。
【図２９】本発明に適用可能なＤＲＳパターンの様々な変形例を示す図である。
【図３０】本発明に適用可能なＤＲＳパターンの様々な変形例を示す図である。
【図３１】本発明に係るＤＲＳパターンの多重化グループを説明するための図である。
【図３２】本発明に適用可能なＤＲＳパターンの様々な変形例を示す図である。
【図３３】本発明に適用可能なＤＲＳパターンの様々な変形例を示す図である。
【図３４】本発明に適用可能なＤＲＳパターンの様々な変形例を示す図である。
【図３５】本発明に適用可能なＤＲＳパターンの様々な変形例を示す図である。
【図３６】本発明に適用可能なＤＲＳパターンの様々な変形例を示す図である。
【図３７】本発明に適用可能なＤＲＳパターンの様々な変形例を示す図である。
【図３８】本発明に適用可能なＤＲＳパターンの様々な変形例を示す図である。
【図３９】本発明に適用可能なＤＲＳパターンの様々な変形例を示す図である。
【図４０】本発明に適用可能なＤＲＳパターンの様々な変形例を示す図である。
【図４１】本発明に適用可能なＤＲＳパターンの様々な変形例を示す図である。
【図４２】本発明に適用可能なＤＲＳパターンの様々な変形例を示す図である。
【図４３】本発明に適用可能なＤＲＳパターンの様々な変形例を示す図である。
【図４４】本発明に適用可能なＤＲＳパターンの様々な変形例を示す図である。
【図４５】本発明に適用可能なＤＲＳパターンの様々な変形例を示す図である。
【図４６】本発明に適用可能なＤＲＳパターンの様々な変形例を示す図である。
【図４７】本発明に適用可能なＤＲＳパターンの様々な変形例を示す図である。
【図４８】本発明に適用可能なＤＲＳパターンの様々な変形例を示す図である。
【図４９】本発明に適用可能なＤＲＳパターンの様々な変形例を示す図である。
【図５０】本発明に適用可能なＤＲＳパターンの様々な変形例を示す図である。
【図５１】本発明に適用可能なＤＲＳパターンの様々な変形例を示す図である。
【図５２】本発明に適用可能なＤＲＳパターンの様々な変形例を示す図である。
【図５３】本発明に適用可能なＤＲＳパターンの様々な変形例を示す図である。
【図５４】本発明に適用可能なＤＲＳパターンの様々な変形例を示す図である。
【図５５】本発明に適用可能なＤＲＳパターンの様々な変形例を示す図である。
【図５６】本発明に適用可能なＤＲＳパターンの様々な変形例を示す図である。
【図５７】本発明に適用可能なＤＲＳパターンの様々な変形例を示す図である。
【図５８】本発明に適用可能なＤＲＳパターンの様々な変形例を示す図である。
【図５９】本発明に係る基地局装置及び端末装置を含む無線通信システムの好適な実施例の構成を示す図である。
【発明を実施するための形態】
【００２４】
以下の実施例は、本発明の構成要素及び特徴を所定の形態で結合したものである。各構成要素または特徴は、別に明示しない限り、選択的なものと考慮しなければならない。各構成要素または特徴が他の構成要素や特徴と結合しない形態で実施してもよく、一部の構成要素及び／または特徴を結合させて本発明の実施例を構成してもよい。本発明の実施例で説明される動作の順序は変更してもよい。ある実施例の一部構成や特徴は、他の実施例に含まれてもよく、他の実施例の対応する構成または特徴に代えてもよい。
【００２５】
本明細書では、本発明の実施例を、基地局と端末との間におけるデータ送受信の関係を中心に説明する。ここで、基地局は、端末と直接通信を行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われることもある。
【００２６】
すなわち、基地局を含む多数のネットワークノード（ｎｅｔｗｏｒｋ  ｎｏｄｅｓ）からなるネットワークにおいて、端末との通信のために行われる種々の動作を、基地局または基地局以外の他のネットワークノードにより行うことができるいうことは自明である。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語に代えてもよい。中継機は、リレーノード（Ｒｅｌａｙ  Ｎｏｄｅ、ＲＮ）、リレーステーション（Ｒｅｌａｙ  Ｓｔａｔｉｏｎ、ＲＳ）などの用語に代えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に代えてもよい。
【００２７】
以下の説明で用いられる特定用語は、本発明の理解を助けるために提供されたもので、これらの特定用語の使用は、本発明の技術的思想から逸脱することなく他の形態に変更可能である。
【００２８】
場合によっては、本発明の概念が曖昧になることを避けるために、公知の構造及び装置は省略されたり、各構造及び装置の核心機能を中心にしたブロック図の形式で示されることがある。また、本明細書全体を通じて同一の構成要素には同一の図面符号を付して説明する。
【００２９】
本発明の実施例は、無線接続システムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム、及び３ＧＰＰ２システムの少なくとも一つに開示された標準文書でサポートすることかできる。すなわち、本発明の実施例において本発明の技術的思想を明確にするために説明しない段階または部分は、上記の標準文書でサーポートすることができる。なお、本文書で開示している全ての用語は、上記の標準文書により説明することができる。
【００３０】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような種々の無線接続システムで用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）とすることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術とすることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術とすることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進展である。ＷｉＭＡＸは、ＩＥＥＥ  ８０２．１６ｅ規格（ＷｉｒｅｌｅｓｓＭＡＮ−ＯＦＤＭＡ  Ｒｅｆｅｒｅｎｃｅ  Ｓｙｓｔｅｍ）及び進展したＩＥＥＥ  ８０２．１６ｍ規格（ＷｉｒｅｌｅｓｓＭＡＮ−ＯＦＤＭＡ  Ａｄｖａｎｃｅｄ  ｓｙｓｔｅｍ）により説明することができる。明確性のために、以下では、３ＧＰＰ  ＬＴＥ標準を中心に説明するが、本発明の技術的思想はこれに制限されない。
【００３１】
以下の説明において、ＭＩＭＯ転送において「ランク（Ｒａｎｋ）」は、独立して信号を転送できる経路の数を表し、「レイヤー（ｌａｙｅｒ）の個数」は、各経路を通じて転送される信号ストリームの個数を表す。一般的に、送信端は信号転送に用いられるランク数に対応する個数のレイヤーを転送するため、特別な言及がない限り、ランクはレイヤー個数に相当する。
【００３２】
図１は、多重アンテナを備えている送信機の構造を示すブロック図である。
【００３３】
図１を参照すると、送信機１００は、エンコーダ１１０−１，…，１１０−Ｋ、変調マッパー１２０−１，…，１２０−Ｋ、レイヤーマッパー１３０、プリコーダ１４０、リソース要素マッパー１５０−１，…，１５０−Ｋ、及びＯＦＤＭ信号発生器１６０−１，…，１６０−Ｋを含む。送信機１００は、Ｎｔ個の送信アンテナ１７０−１，…，１７０−Ｎｔを含む。
【００３４】
エンコーダ１１０−１，…，１１０−Ｋは、入力されるデータを定められたコーディング方式によってエンコーディングして符号化したデータ（ｃｏｄｅｄ  ｄａｔａ）とする。変調マッパー１２０−１，…，１２０−Ｋは、符号化したデータを信号コンステレーション（ｓｉｇｎａｌ  ｃｏｎｓｔｅｌｌａｔｉｏｎ）上の位置を表現する変調シンボルにマッピングする。変調方式（ｍｏｄｕｌａｔｉｏｎ  ｓｃｈｅｍｅ）には制限がなく、ｍ−ＰＳＫ（ｍ−Ｐｈａｓｅ  Ｓｈｉｆｔ  Ｋｅｙｉｎｇ）またはｍ−ＱＡＭ（ｍ−Ｑｕａｄｒａｔｕｒｅ  Ａｍｐｌｉｔｕｄｅ  Ｍｏｄｕｌａｔｉｏｎ）でよい。例えば、ｍ−ＰＳＫは、ＢＰＳＫ、ＱＰＳＫまたは８−ＰＳＫでよい。ｍ−ＱＡＭは、１６−ＱＡＭ、６４−ＱＡＭまたは２５６−ＱＡＭでよい。
【００３５】
レイヤーマッパー１３０は、プリコーダ１４０がアンテナ特定シンボル（ａｎｔｅｎｎａ−ｓｐｅｃｉｆｉｃ  ｓｙｍｂｏｌ）を各アンテナの経路に分配できるように、変調シンボルのレイヤーを定義する。レイヤーは、プリコーダ１４０に入力される情報経路（ｉｎｆｏｒｍａｔｉｏｎ  ｐａｔｈ）と定義される。プリコーダ１４０以前の情報経路を仮想アンテナ（ｖｉｒｔｕａｌ  ａｎｔｅｎｎａ）またはレイヤーと呼ぶことができる。
【００３６】
プリコーダ１４０は、変調シンボルを多重送信アンテナ１７０−１，…，１７０−Ｎｔに基づくＭＩＭＯ方式で処理してアンテナ特定シンボルを出力する。プリコーダ１４０は、アンテナ特定シンボルを該当のアンテナの経路におけるリソース要素マッパー１５０−１，…，１５０−Ｋに分配する。プリコーダ１４０により一つのアンテナに送られる各情報経路をストリーム（ｓｔｒｅａｍ）という。これを物理的アンテナ（ｐｈｙｓｉｃａｌ  ａｎｔｅｎｎａ）とすることができる。
【００３７】
リソース要素マッパー１５０−１，…，１５０−Ｋは、アンテナ特定シンボルを適切なリソース要素（ｒｅｓｏｕｒｃｅ  ｅｌｅｍｅｎｔ）に割り当て、ユーザーに基づいて多重化する。ＯＦＤＭ信号発生器１６０−１，…，１６０−Ｋは、アンテナ特定シンボルをＯＦＤＭ方式で変調してＯＦＤＭシンボルを出力する。ＯＦＤＭ信号発生器１６０−１，…，１６０−Ｋは、アンテナ特定シンボルに対してＩＦＦＴ（Ｉｎｖｅｒｓｅ  Ｆａｓｔ  Ｆｏｕｒｉｅｒ  Ｔｒａｎｓｆｏｒｍ）を行うことができ、ＩＦＦＴの行われた時間領域シンボルにはＣＰ（ｃｙｃｌｉｃ  ｐｒｅｆｉｘ）を挿入することができる。ＣＰは、ＯＦＤＭ転送方式において多重経路によるシンボル間干渉（ｉｎｔｅｒ−ｓｙｍｂｏｌ  ｉｎｔｅｒｆｅｒｅｎｃｅ）を除去するために保護区間（ｇｕａｒｄ  ｉｎｔｅｒｖａｌ）に挿入される信号である。ＯＦＤＭシンボルは、各送信アンテナ１７０−１，…，１７０−Ｎｔから送信される。
【００３８】
図２には、ダウンリンク無線フレームの構造を示す。図２を参照すると、ダウンリンク無線フレーム（ｒａｄｉｏ  ｆｒａｍｅ）は、１０サブフレーム（ｓｕｂｆｒａｍｅ）で構成され、１サブフレームは２スロット（ｓｌｏｔ）で構成される。ダウンリンク無線フレームは、ＦＤＤ（ｆｒｅｑｕｅｎｃｙ  ｄｉｖｉｓｉｏｎ  ｄｕｐｌｅｘ）またはＴＤＤ（ｔｉｍｅ  ｄｉｖｉｓｉｏｎ  ｄｕｐｌｅｘ）により構成することができる。１サブフレームが転送されるのにかかる時間をＴＴＩ（ｔｒａｎｓｍｉｓｓｉｏｎ  ｔｉｍｅ  ｉｎｔｅｒｖａｌ）といい、例えば、１サブフレームの長さは１ｍｓで、１スロットの長さは０．５ｍｓである。１スロットは、時間領域（ｔｉｍｅ  ｄｏｍａｉｎ）で複数のＯＦＤＭシンボルを含み、周波数領域で多数のリソースブロック（Ｒｅｓｏｕｒｃｅ  Ｂｌｏｃｋ；ＲＢ）を含む。
【００３９】
１スロットに含まれるＯＦＤＭシンボルの数は、ＣＰの構成（ｃｏｎｆｉｇｕｒａｔｉｏｎ）によって可変する。ＣＰには、拡張されたＣＰ（ｅｘｔｅｎｄｅｄ  ＣＰ）及び一般ＣＰ（ｎｏｒｍａｌ  ＣＰ）がある。例えば、ＯＦＤＭシンボルが一般ＣＰにより構成された場合に、１スロットに含まれるＯＦＤＭシンボルの数は７個でよい。ＯＦＤＭシンボルが拡張されたＣＰにより構成された場合に、１  ＯＦＤＭシンボルの長さが増加するため、１スロットに含まれるＯＦＤＭシンボルの数は、一般ＣＰの場合に比べて少ない。拡張されたＣＰの場合に、例えば、１  スロットに含まれるＯＦＤＭシンボルの数は６個でよい。端末が高速で移動するなどしてチャネル状態が不安定な場合に、シンボル間干渉をより減らすために、拡張されたＣＰを用いることができる。
【００４０】
一般ＣＰが用いられる場合に、１スロットは７個のＯＦＤＭシンボルを含むので、１サブフレームは１４個のＯＦＤＭシンボルを含む。この場合、各サブフレームの最初の２個または３個のＯＦＤＭシンボルはＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００４１】
無線フレームの構造は例示に過ぎず、無線フレームに含まれるサブフレームの数またはサブフレームに含まれるスロットの数、スロットに含まれるシンボルの数は、様々に変更することができる。
【００４２】
図３は、一つのダウンリンクスロットに対するリソースグリッド（ｒｅｓｏｕｒｃｅ  ｇｒｉｄ）の一例を示す図である。これは、ＯＦＤＭシンボルが一般ＣＰで構成された場合に相当する。図３を参照すると、ダウンリンクスロットは、時間領域で複数のＯＦＤＭシンボルを含み、周波数領域で多数のリソースブロック（ｒｅｓｏｕｒｃｅ  ｂｌｏｃｋ；ＲＢ）を含む。ここで、１ダウンリンクスロットは、７  ＯＦＤＭシンボルを含み、１リソースブロックは１２副搬送波（ｓｕｂｃａｒｒｉｅｒ）を含むものとして説明するが、これに制限されることはない。リソースグリッド上の各要素（ｅｌｅｍｅｎｔ）をリソース要素（ＲＥ）という。例えば、リソース要素ａ（ｋ，ｌ）は、ｋ番目の副搬送波とｌ番目ＯＦＤＭシンボルに位置しているリソース要素に相当する。１リソースブロックは、１２×７リソース要素を含む。各副搬送波の間隔は１５ｋＨｚであるから、１リソースブロックは周波数領域において約１８０ｋＨｚを含む。ＮＤＬは、ダウンリンクスロットに含まれるリソースブロックの数である。ＮＤＬの値は、基地局のスケジューリングによって設定されるダウンリンク転送帯域幅（ｂａｎｄｗｉｄｔｈ）によって決定することができる。
【００４３】
図４は、ダウンリンクサブフレームの構造を示す図である。１サブフレームにおいて１番目のスロットにおける先頭の最大３  ＯＦＤＭシンボルは、制御チャネルが割り当てられる制御領域に相当する。残りのＯＦＤＭシンボルは、物理ダウンリンク共有チャネル（Ｐｈｙｓｉｃａｌ  Ｄｏｗｎｌｉｎｋ  Ｓｈａｒｅｄ  Ｃｈａｎｃｅｌ；ＰＤＳＣＨ）が割り当てられるデータ領域に相当する。３ＧＰＰ  ＬＴＥシステムで用いられるダウンリンク制御チャネルには、例えば、物理制御フォーマット指示子チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ；ＰＣＦＩＣＨ）、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理ＨＡＲＱ指示子チャネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｎｅｌ；ＰＨＩＣＨ）などがある。ＰＣＦＩＣＨは、サブフレームの１番目のＯＦＤＭシンボルで転送され、サブフレーム内の制御チャネル転送に用いられるＯＦＤＭシンボルの個数に関する情報を含む。ＰＨＩＣＨは、アップリンク転送の応答としてＨＡＲＱ  ＡＣＫ／ＮＡＣＫ信号を含む。ＰＤＣＣＨを通じて転送される制御情報をダウンリンク制御情報（Ｄｏｗｎｌｉｎｋ  Ｃｏｎｔｒｏｌ  Ｉｎｆｏｒｍａｔｉｏｎ；ＤＣＩ）という。ＤＣＩは、アップリンクまたはダウンリンクスケジューリング情報を含む、または、任意の端末グループに対するアップリンク転送電力制御命令を含む。ＰＤＣＣＨは、ダウンリンク共有チャネル（ＤＬ−ＳＣＨ）のリソース割当及び転送フォーマット、アップリンク共有チャネル（ＵＬ−ＳＣＨ）のリソース割当情報、ページングチャネル（ＰＣＨ）のページング情報、ＤＬ−ＳＣＨ上のシステム情報、ＰＤＳＣＨで転送されるランダムアクセス応答（Ｒａｎｄｏｍ  Ａｃｃｅｓｓ  Ｒｅｓｐｏｎｓｅ）のような上位層制御メッセージのリソース割当、任意の端末グループ中の個別端末に対する転送電力制御命令のセット、転送電力制御情報、ＶｏＩＰ（Ｖｏｉｃｅ  ｏｖｅｒ  ＩＰ）の活性化などを含むことができる。複数のＰＤＣＣＨを制御領域で転送することができる。端末は、複数のＰＤＣＣＨをモニタリングすることができる。ＰＤＣＣＨは、１以上の連続する制御チャネル要素（Ｃｏｎｔｒｏｌ  Ｃｈａｎｎｅｌ  Ｅｌｅｍｅｎｔ；ＣＣＥ）の組み合わせで転送される。ＣＣＥは、無線チャネルの状態に基づくコーディングレートでＰＤＣＣＨを提供するために用いられる論理割当単位である。ＣＣＥは、複数個のリソース要素グループに対応する。ＰＤＣＣＨのフォーマット及び利用可能なビット数は、ＣＣＥの個数とＣＣＥにより提供されるコーディングレート間の相関関係によって決定される。基地局は、端末に転送されるＤＣＩに基づいてＰＤＣＣＨフォーマットを決定し、制御情報に巡回冗長検査（Ｃｙｃｌｉｃ  Ｒｅｄｕｎｄａｎｃｙ  Ｃｈｅｃｋ；ＣＲＣ）を付加する。ＣＲＣは、ＰＤＣＣＨの所有者または用途によって、無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）という識別子でマスキングされる。��ＤＣＣＨが特定端末に対するものであれば、端末のｃｅｌｌ−ＲＮＴＩ（Ｃ−ＲＮＴＩ）をＣＲＣにマスキングすることができる。または、ＰＤＣＣＨがページングメッセージに対するものであれば、ページング指示子識別子（Ｐａｇｉｎｇ  Ｉｎｄｉｃａｔｏｒ  Ｉｄｅｎｔｉｆｉｅｒ；Ｐ−ＲＮＴＩ）をＣＲＣにマスキングすることができる。ＰＤＣＣＨがシステム情報（特に、システム情報ブロック（ＳＩＢ））に対するものであれば、システム情報識別子及びシステム情報ＲＮＴＩ（ＳＩ−ＲＮＴＩ）をＣＲＣにマスキングすることができる。端末のランダムアクセスプリアンブル転送に対する応答であるランダムアクセス応答を表すために、ランダムアクセス−ＲＮＴＩ（ＲＡ−ＲＮＴＩ）をＣＲＣにマスキングすることができる。
【００４４】
図５は、３ＧＰＰ  ＬＴＥシステムにおける共用参照信号（ＣＲＳ）及び専用参照信号（ＤＲＳ）のパターンを説明するための図である。
【００４５】
図５は、一般ＣＰの場合における共用参照信号及び専用参照信号がマッピングされるリソース要素を説明する図である。同図において、横軸は時間領域を、縦軸は周波数領域を表す。参照信号パターンについて、一般ＣＰの場合は、時間領域で１４個のＯＦＤＭシンボル及び周波数領域で１２個の副搬送波をリソースブロックの基本単位とすることができる。拡張されたＣＰの場合は、１２個のＯＦＤＭシンボル及び１２個の副搬送波を参照信号パターンについてのリソースブロックの基本単位とすることができる。図５に示す時間−周波数領域において、最も小さい四角の領域は、時間領域で１  ＯＦＤＭシンボル、且つ周波数領域で１副搬送波に対応する領域である。
【００４６】
図５において、Ｒｐは、第ｐアンテナポート（ｐｏｒｔ）上で参照信号の転送に用いられるリソース要素を表示する。例えば、Ｒ０乃至Ｒ３はそれぞれ、第０乃至第３のアンテナポートで転送される共用参照信号がマッピングされるリソース要素を表し、Ｒ５は、第５のアンテナポートで転送される専用参照信号がマッピングされるリソース要素を表す。第０及び第１のアンテナポートで転送される共用参照信号は、第０、第４、第７及び第１１のＯＦＤＭシンボル上で６副搬送波間隔で（一つのアンテナポート基準）転送される。第２及び第３のアンテナポートで転送される共用参照信号は、第１及び第８のＯＦＤＭシンボル上で６副搬送波間隔で（一つのアンテナポート基準）転送される。専用参照信号は、毎サブフレームの第３、第６、第９及び第１２のＯＦＤＭシンボル上で４副搬送波間隔で転送される。そのため、１サブフレームの時間上連続する２リソースブロック（リソースブロック対）内で１２個の専用参照信号が転送される。
【００４７】
共用参照信号（ＣＲＳ）（または、セル−特定参照信号）は、物理アンテナ端のチャネルを推定するために用いられ、セル内における全ての端末（ＵＥ）に共通して転送される参照信号である。共用参照信号を通じて端末によって推定されたチャネル情報は、単一アンテナ転送（Ｓｉｎｇｌｅ  Ａｎｔｅｎｎａ  Ｔｒａｎｓｍｉｓｓｉｏｎ）、転送ダイバーシティ（Ｔｒａｎｓｍｉｔ  ｄｉｖｅｒｓｉｔｙ）、閉−ループ空間多重化（Ｃｌｏｓｅｄ−ｌｏｏｐ  Ｓｐａｔｉａｌ  ｍｕｌｔｉｐｌｅｘｉｎｇ）、開−ループ空間多重化（Ｏｐｅｎ−ｌｏｏｐ  Ｓｐａｔｉａｌ  ｍｕｌｔｉｐｌｅｘｉｎｇ）、多重−ユーザー（Ｍｕｌｔｉ−Ｕｓｅｒ）ＭＩＭＯ（ＭＵ−ＭＩＭＯ）などの転送手法で送信されたデータの復調のために用いることができ、また、端末がチャネルを測定して基地局に報告する用途に用いることができる。共用参照信号を通じたチャネル推定性能を高めるために、セルごとに共用参照信号のサブフレーム内においての位置をシフト（ｓｈｉｆｔ）させて異ならせることができる。例えば、参照信号が３副搬送波ごとに位置する場合に、あるセルでは３ｋの副搬送波間隔で、他のセルでは３ｋ＋１の副搬送波間隔で配置させることができる。
【００４８】
専用参照信号（ＤＲＳ）（または端末−特定参照信号）は、データ復調のために用いられる参照信号で、多重アンテナ転送をする時に特定端末に用いられるプリコーディング重み値を参照信号にもそのまま用いることによって、端末が参照信号を受信した時に、各送信アンテナから転送されるプリコーディング重み値及び転送チャネルが結合した均等チャネル（Ｅｑｕｉｖａｌｅｎｔ  ｃｈａｎｎｅｌ）の推定を可能にする。また、専用参照信号は、転送レイヤー間に直交することが要求される。
【００４９】
既存の３ＧＰＰ  ＬＴＥシステムは、最大限に４送信アンテナ転送を支援し、単一送信アンテナ、２送信アンテナ、４送信アンテナを支援するためのセル−特定参照信号、及びランク１ビームフォーミングのための端末−特定参照信号が定義されている。一方、３ＧＰＰ  ＬＴＥの進展であるＬＴＥ−Ａ（Ａｄｖａｎｃｅｄ）システムでは、高いオーダー（ｏｒｄｅｒ）のＭＩＭＯ、多重−セル転送、発展した多重ユーザー−ＭＩＭＯなどが考慮されているが、効率的な参照信号の運用及び発展した転送方式を支援するために、専用参照信号ベースのデータ復調を考慮している。また、専用参照信号は、基地局によりダウンリンク転送がスケジューリングされたリソースブロック及びレイヤーにのみ存在するように設定することが好ましい。
【００５０】
最大限にランク８転送を支援するための専用参照信号を無線リソース上に配置するにあたり、それぞれのレイヤーに対する専用参照信号を多重化して配置することができる。時間分割多重化（Ｔｉｍｅ  Ｄｉｖｉｓｉｏｎ  Ｍｕｌｔｉｐｌｅｘｉｎｇ；ＴＤＭ）は、２以上のレイヤーに対する専用参照信号を、互いに異なる時間リソース（例えば、ＯＦＤＭシンボル）上に配置することを意味する。周波数分割多重化（Ｆｒｅｑｕｅｎｃｙ  Ｄｉｖｉｓｉｏｎ  Ｍｕｌｔｉｐｌｅｘｉｎｇ；ＦＤＭ）は、２以上のレイヤーに対する専用参照信号を、互いに異なる周波数リソース（例えば、副搬送波）上に配置することを意味する。コード分割多重化（Ｃｏｄｅ  Ｄｉｖｉｓｉｏｎ  Ｍｕｌｔｉｐｌｅｘｉｎｇ；ＣＤＭ）は、同じ無線リソース上に配置された２以上のレイヤーに対する専用参照信号を、直交シーケンス（または、直交カバリング）を用いて多重化することを意味する。
【００５１】
以下では、前述した事項を考慮して、最大ランク８の転送に対して受信端で効率的なチャネル推定及びデータ復元を行えるようにする専用参照信号（ＤＲＳ）パターンの本発明の実施例について説明する。
【００５２】
図６は、本発明の一実施例に係るＤＲＳパターンを説明するための図である。図６（ａ）、６（ｂ）及び図６（ｃ）のＤＲＳパターンをそれぞれ、本発明の実施例（ａ）、実施例（ｂ）及び実施例（ｃ）と称する。
【００５３】
最大限としてランク８の転送に対するＤＲＳの位置は、１リソースブロック（一般ＣＰの場合に１４  ＯＦＤＭシンボル及び１２副搬送波で構成されるリソースブロック、または拡張されたＣＰの場合に１２  ＯＦＤＭシンボル及び１２副搬送波で構成されるリソースブロック）上においてＡ、Ｂ、Ｃ及びＤで表示される。
【００５４】
図６（ａ）乃至６（ｃ）において、ＤＲＳ位置を表すＡ、Ｂ、Ｃ及びＤのそれぞれは、１リソースブロック上で６個のリソース要素上に配置することができる。例えば、Ａで表示されるＤＲＳは、時間領域で２個のＯＦＤＭシンボル上に位置し、１  ＯＦＤＭシンボル上において周波数領域で３個の副搬送波上に位置することができる。時間上では任意の間隔を有し、周波数上では等間隔を維持するように設計することができる。Ｂ、Ｃ及びＤで表示されるＤＲＳもそれぞれ類似の方式でリソース要素上に位置すればよく、Ａ、Ｂ、Ｃ及びＤで表示されるＤＲＳの位置するリソース要素は互いに重畳しない。そのため、Ａ、Ｂ、Ｃ及びＤで表示されるＤＲＳは、１リソースブロック上で２４個のリソース要素上に位置することができる。
【００５５】
図６（ａ）において、ＤＲＳ位置を表すＡ、Ｂ、Ｃ及びＤのそれぞれは、２個のＯＦＤＭシンボル上に配置することができ、その２個のＯＦＤＭシンボル上で互いに異なる周波数（副搬送波）上に配置することができる。２個のＯＦＤＭシンボルのいずれか一方におけるＯＦＤＭシンボルに位置するＤＲＳは、他のＯＦＤＭシンボルに位置するＤＲＳに比べて一定間隔の周波数オフセットを有することができる。周波数オフセットは、１以上の副搬送波オフセットを意味し、いずれか一方のＯＦＤＭシンボルにＤＲＳが配置された周波数間隔の１／２を意味することもできる。例えば、図６（ａ）で、Ａで表示されるＤＲＳは、一つのリソースブロックで６番目のＯＦＤＭシンボル及び１０番目のＯＦＤＭシンボル上に位置しており、６番目のＯＦＤＭシンボル上のＤＲＳの周波数位置は、１０番目のＯＦＤＭシンボル上のＤＲＳの周波数位置に対して２副搬送波だけのオフセットを有する。Ａ、Ｂ、Ｃ及びＤで表示されるＤＲＳは、周波数上で互いに連接しないように配置し、時間上では、連接するようにまたは任意の間隔を持つように配置することができる。
【００５６】
図６（ｂ）及び図６（ｃ）において、ＤＲＳ位置を表すＡ、Ｂ、Ｃ及びＤのそれぞれを、２個のＯＦＤＭシンボル上に配置することができ、その２個のＯＦＤＭシンボル上で同じ周波数（副搬送波）上に配置することができる。例えば、図６（ｂ）及び図６（ｃ）で、Ａで表示されるＤＲＳは、一つのリソースブロックにおいて６番目のＯＦＤＭシンボル及び１０番目のＯＦＤＭシンボル上に位置し、６番目のＯＦＤＭシンボル上のＤＲＳの周波数位置は、１０番目のＯＦＤＭシンボル上のＤＲＳの周波数位置と同一である。Ａ、Ｂ、Ｃ及びＤで表示されるＤＲＳは、周波数上で互いに連接するように配置し、時間上では連接するようにまたは任意の間隔で配置することができる。
【００５７】
一つのリソースブロック上でＤＲＳが配置されるリソース要素の位置を決定するにあたり、下記の事項を考慮することができる。
【００５８】
ＰＤＣＣＨなどが位置する制御領域（１番目のスロットにおける先頭３個のＯＦＤＭシンボル）には、ＤＲＳが配置されないように設定することができる。また、ＣＲＳが位置するＯＦＤＭシンボル（例えば、１番目のスロットの１番目、２番目及び５番目のＯＦＤＭシンボルと、２番目のスロットの１番目、２番目及び５番目のＯＦＤＭシンボル）にはＤＲＳが配置されないように設定することができる。また、中継機が導入される場合に、２番目のスロットの最後のＯＦＤＭシンボルに、中継機の転送モードと受信モードの切り替えのためのガード時間が設定される場合、及びこれによってサウンディング参照信号の位置が最後のＯＦＤＭシンボルの直前のＯＦＤＭシンボルとなることを考慮して、２番目のスロットの最後の２個のＯＦＤＭシンボルにはＤＲＳが配置されないように設定することができる。
【００５９】
ただし、前述したＤＲＳ配置における制限を全て適用する場合には、ＤＲＳによるチャネル推定性能が低下することがある。すなわち、ＤＲＳを内挿及び／または外挿することによって、ＤＲＳの位置しないリソース要素に対するチャネルを推定してデータを復元するので、ＤＲＳが特定ＯＦＤＭシンボルにのみ位置するとすれば、ＤＲＳが多数のＯＦＤＭシンボルに分散配置される場合に比べてチャネル推定性能が相対的に低下することがある。そのため、場合に応じてＤＲＳを適切に配置することができる。すなわち、前述したＤＲＳ配置における制限事項は考慮しなくても、一つ以上を考慮してもよい。
【００６０】
本発明に係るＤＲＳの配置パターンについて、ＤＲＳの位置を表すＡ、Ｂ、Ｃ及びＤは表１のような方式でグループ化することができる。
【００６１】
【表１】
2013507033.tif 000003
ＤＲＳグループ＃０及びＤＲＳグループ＃１は、互いに異なるアンテナポート（またはレイヤー）グループに対して用いられる。ここで、アンテナポートは、仮想アンテナポートまたは物理アンテナポートを意味することができる。例えば、ＤＲＳグループ＃０は、第１乃至第４のアンテナポートに対するＤＲＳの位置を表し、ＤＲＳグループ＃１は、第５乃至第８のアンテナポートに対するＤＲＳの位置を表すことができる。以下の実施例では、表１のｃａｓｅ  １のように、Ａ、Ｂが一つのアンテナポートグループに対するＤＲＳ位置を表し、Ｃ、Ｄが他のアンテナポートグループに対するＤＲＳ位置を表すとして説明するが、これに限定されるものではなく、表１のｃａｓｅ  ２またはｃａｓｅ  ３のように、Ａ、Ｃ／Ｂ、ＤまたはＡ、Ｄ／Ｂ、Ｃがそれぞれ、互いに異なるアンテナポートグループに対するＤＲＳ位置を表すこともできる。
【００６２】
また、ＤＲＳの多重化方式によってＡ、Ｂ、Ｃ及びＤがいずれのアンテナポート（またはレイヤー）に対するＤＲＳの位置を表すかを決定することができる。例えば、ＤＲＳグループ＃０のＡ、Ｂについて、ＴＤＭまたはＦＤＭの場合には、Ａが一つのアンテナポートに対するＤＲＳ位置を表し、Ｂが他のアンテナポートに対するＤＲＳ位置を表すことができる。ＣＤＭの場合には、ＡとＢが共に一つのアンテナポートに対するＤＲＳ位置を表し、互いに異なるアンテナポートは、直交するコードによって区別される。
【００６３】
以下では、ランク１乃至８の場合に用いられるＤＲＳグループについて説明する。
【００６４】
以下の本明細書全体の説明において、説明の便宜のために、「レイヤー」、「仮想アンテナポート」及び「物理アンテナポート」は、「レイヤー」と総称する。すなわち、本明細書で用いられる「レイヤー」という用語は、その本来の意味を有すると同時に、場合によっては「仮想アンテナポート」または「物理アンテナポート」という用語に代替してもよい。
【００６５】
ランク１転送の場合には、ＤＲＳグループ＃０または＃１のいずれか一方が用いられ、そのＤＲＳグループ内の全てのＤＲＳ位置が用いられる。例えば、ＤＲＳグループ＃０が用いられる場合に、Ａ及びＢで表示された全てのリソース要素に該当のレイヤーに対するＤＲＳが配置され、一つのリソースブロック内で１２リソース要素上に一つのレイヤーに対するＤＲＳが配置される。
【００６６】
ランク２転送の場合には、ＤＲＳグループ＃０または＃１のいずれか一方が用いられ、そのＤＲＳグループ内でＴＤＭ／ＦＤＭ／ＣＤＭ方式で２個のレイヤーに対するＤＲＳを多重化することができる。例えば、ＤＲＳグループ＃０が用いられる場合に、ＴＤＭ／ＦＤＭでは、Ａで表示されたリソース要素は第１のレイヤーに対するＤＲＳ位置を表し、Ｂで表示されたリソース要素は第２のレイヤーに対するＤＲＳ位置を表す。この場合、図６（ａ）または図６（ｂ）は、ＴＤＭ方式（Ａ及びＢが同じ副搬送波上で互いに異なるＯＦＤＭシンボル上に配置されることによって区別される）に対するものであり、図６（ｃ）は、ＦＤＭ方式（Ａ及びＢが同じＯＦＤＭシンボル上で互いに異なる副搬送波上に配置されることによって区別される）に対するものである。一方、ＣＤＭ方式では、Ａ及びＢが両方とも第１及び第２のレイヤーに対するＤＲＳ位置を表し、第１及び第２のレイヤーに対するＤＲＳはコードによって区別することができる。
【００６７】
ランク３転送の場合には、ＴＤＭ／ＦＤＭ方式によって互いに異なる３個のレイヤーに対するＤＲＳを多重化するためにＤＲＳグループ＃０及び＃１を共に用いることができる。例えば、第１及び第２のレイヤーに対するＤＲＳの位置は、ＤＲＳグループ＃０のＡ及びＢに配置し、第３のレイヤーに対するＤＲＳの位置は、ＤＲＳグループ＃１のＣ（またはＤ）に配置することができる。一方、ランク３転送において、ＣＤＭ方式によって互いに異なる３個のレイヤーに対するＤＲＳを多重化する場合に、ＤＲＳグループ＃０及び＃１の両方を用いることもでき、ＤＲＳグループ＃０または＃１のいずれか一方を用いることもできる。これについての詳細は後述する。
【００６８】
ランク４転送の場合には、ＴＤＭ／ＦＤＭ方式によって互いに異なる４個のレイヤーに対するＤＲＳを多重化するために、ＤＲＳグループ＃０及び＃１の両方を用いることができる。例えば、第１及び第２のレイヤーに対するＤＲＳの位置はＤＲＳグループ＃０のＡ及びＢに配置し、第３及び第４のレイヤーに対するＤＲＳの位置はＤＲＳグループ＃１のＣ及びＤに配置することができる。一方、ランク４転送において、ＣＤＭ方式によって互いに異なる４個のレイヤーに対するＤＲＳを多重化する場合に、ＤＲＳグループ＃０及び＃１の両方を用いることもでき、ＤＲＳグループ＃０または＃１のいずれか一方を用いることもできる。
【００６９】
前述の事項を本発明の様々な実施例に共通して適用することができる。
【００７０】
以下では、ＤＲＳの多重化方式において直交カバリング（ｏｒｔｈｏｇｏｎａｌ  ｃｏｖｅｒｉｎｇ）を用いるコード分割多重化（ＣＤＭ）方式について説明する。ＤＲＳのＣＤＭでは、ウォルシュコード（Ｗａｌｓｈ  ｃｏｄｅ）、離散フーリエ変換行列（Ｄｉｓｃｒｅｔｅ  Ｆｏｕｒｉｅｒ  Ｔｒａｎｓｆｏｒｍ（ＤＦＴ）  ｍａｔｒｉｘ）などの直交カバリングを用いることができる。
【００７１】
ウォルシュコードは正方行列で示され、ウォルシュコード行列を用いて２ｎ個の信号を区別することができる。ウォルシュコードは、表２のような行列で示すことができる。
【００７２】
【表２】
2013507033.tif 000004
ＤＦＴ行列は正方行列で示され、ＤＦＴ行列は、Ｎ×Ｎ（Ｎは自然数）大きさとすることができる。ＤＲＳのＣＤＭのための直交シーケンスとして用いられる時には、標準化因子（ｎｏｒｍａｌｉｚａｔｉｏｎ  ｆａｃｔｏｒ）
【００７３】
【化１】
2013507033.tif 000005
は省略されてもよい。ＤＦＴ行列は、表３のような行列で示すことができる。
【００７４】
【表３】
2013507033.tif 000006
図７を参照して、直交カバリングを用いてＤＲＳをＣＤＭ方式で多重化する方案について説明する。図７では、ＤＲＳとして転送されるシーケンスをＳｎ（ｉ）で表示し、ｎはレイヤーのインデックスを表す。ここで、シーケンス（Ｓｎ（ｉ））は、特定コード列または任意の値になりうる。
【００７５】
図７（ａ）に示すように、同じ時間位置及び互いに異なる周波数位置に存在するＤＲＳ間に上記のような直交カバリングを用いて多重化することができる。図７（ａ）では、ＤＲＳの配置されるリソース要素が周波数上で連接しているものとして示しているが、これに限定されるものではなく、ＤＲＳの配置されるリソース要素が周波数上で連接しなくてもよい。図７（ａ）における第１のレイヤー及び第２のレイヤーに対するＤＲＳの配置されるリソース要素は、同じ位置のリソース要素に相当する。
【００７６】
例えば、２個のレイヤーのチャネルを区別するためにＤＲＳを適用する時に少なくとも２個のＤＲＳを用いることができる。第１のレイヤーのチャネルを推定するためには、２個のＤＲＳで同じシーケンス（Ｓ１（ｉ））が転送される。そのため、第１のレイヤーに対して２個のＤＲＳ位置にＳ１（ｉ）及びＳ１（ｉ）を転送することができる。これは、第１のレイヤーに対する２個のＤＲＳ位置に転送されるシーケンスに、大きさ２の直交行列（ウォルシュ行列（Ｈ２）またはＤＦＴ行列（Ｄ２））の第１の行の直交カバー（１，１）がかけられることと表現することもできる。
【００７７】
また、第２のレイヤーのチャネルを推定するために２個のＤＲＳで同じシーケンス（Ｓ２（ｉ））が転送されるが、２個のＤＲＳのいずれか一方（例えば、Ｂで表示されるＤＲＳ）には、直交位相（例えば、‘−１’）をかけることができる。そのため、第２のレイヤーに対して２個のＤＲＳ位置にＳ２（ｉ）及び−Ｓ２（ｉ）を転送することができる。これは、第２のレイヤーに対する２個のＤＲＳ位置に転送されるシーケンスに、大きさ２の直交行列（ウォルシュ行列（Ｈ２）またはＤＦＴ行列（Ｄ２））の第２の行の直交カバー（１，−１）をかけることと表現することができる。ここで、第１のレイヤーに対するシーケンス（Ｓ１（ｉ））は、第２のレイヤーに対するシーケンスＳ２（ｉ）と同じシーケンスであってもよく、異なるシーケンスであってもよい。
【００７８】
図７（ｂ）に示すように、、同じ周波数位置及び互いに異なる時間位置に存在するＤＲＳ間に上のような直交カバリングを用いて多重化することができる。図７（ｂ）では、ＤＲＳの配置されるリソース要素が時間上連接しているものとして示しているが、これに限定されるものではなく、ＤＲＳの配置されるリソース要素が時間上連接しなくてもよい。図７（ｂ）の第１のレイヤー及び第２のレイヤーに対するＤＲＳの配置されるリソース要素は、同じ位置のリソース要素を表す。
【００７９】
例えば、第１のレイヤーのチャネルを推定するために、２個のＤＲＳ位置で同じシーケンス（Ｓ１（ｉ））が転送される。すなわち、第１のレイヤーに対して２個のＤＲＳ位置にＳ１（ｉ）及びＳ１（ｉ）を転送することができる。これは、第１のレイヤーに対する２個のＤＲＳ位置に転送されるシーケンスに大きさ２の直交行列（ウォルシュ行列（Ｈ２）またはＤＦＴ行列（Ｄ２））の第１の行の直交カバー（１，１）がかけられることと表現することもできる。
【００８０】
また、第２のレイヤーのチャネルを推定するために、２個のＤＲＳで同じシーケンス（Ｓ２（ｉ））が転送されるが、２個のＤＲＳのいずれか一方（例えば、Ｂで表示されるＤＲＳ）には直交位相（ｐｈａｓｅ）（例えば、‘−１’）をかけることができる。そのため、第２のレイヤーには２個のＤＲＳ位置にＳ２（ｉ）及び−Ｓ２（ｉ）を転送することができる。これは、第２のレイヤーに対する２個のＤＲＳ位置に転送されるシーケンスに、大きさ２の直交行列（ウォルシュ行列（Ｈ２）またはＤＦＴ行列（Ｄ２））の第２の行の直交カバー（１、−１）がかけられることと表現することもできる。
【００８１】
以下では、ランク３及び４の場合に、直交カバリングを用いてＤＲＳをＣＤＭ方式で多重化する方案について説明する。
【００８２】
図８を参照して、３個のレイヤーのチャネルを区別するために、ＤＲＳが転送される時に少なくとも３個のＤＲＳが用いられる場合について説明する。３個のＤＲＳ位置は、同じＯＦＤＭシンボル上の互いに異なる３個の副搬送波位置であってもよく（図８（ａ））、同じ副搬送波上の互いに異なる３個のＯＦＤＭシンボル位置であってもよい（図８（ｂ））。図８では、ＤＲＳの配置されるリソース要素が時間上または周波数上で連接しているものとして示しているが、これに限定されるものではなく、ＤＲＳの配置されるリソース要素が時間上または周波数上で連接しなくてもよい。図８の第１のレイヤー乃至第３のレイヤーに対するＤＲＳの配置されるリソース要素は、同じ位置のリソース要素に相当する。
【００８３】
例えば、第１のレイヤーのチャネルを推定するためには３個のＤＲＳで同じシーケンス（Ｓ１（ｉ））が転送される。すなわち、３個のＤＲＳ位置にＳ１（ｉ）、Ｓ１（ｉ）及びＳ１（ｉ）が転送される。これは、第１のレイヤーに対する３個のＤＲＳ位置に転送されるシーケンスに、大きさ３の直交行列（ＤＦＴ行列（Ｄ３））の第１の行の直交カバー（１，１，１）がかけられることと表現することもできる。
【００８４】
また、第２のレイヤーのチャネルを推定するために３個のＤＲＳで同じシーケンス（Ｓ２（ｉ））が転送される。この場合、３個のＤＲＳのうち任意の２個には直交位相をかけることができる。例えば、直交シーケンスとしてＤＦＴ行列を用いる場合に、かけられる直交位相は、ｅｊ（２π／３）、ｅｊ（４π／３）でよい。この場合、第２のレイヤーに対する３個のＤＲＳ位置にＳ２（ｉ）、ｅｊ（２π／３）・Ｓ２（ｉ）、及びｅｊ（４π／３）・Ｓ２（ｉ）を転送することができる。これは、第２のレイヤーに対する３個のＤＲＳ位置に転送されるシーケンスに、大きさ３の直交行列（ＤＦＴ行列（Ｄ３））の第２の行の直交カバー（１，ｅｊ（２π／３）、ｅｊ（４π／３））がかけられることと表現することもできる。
【００８５】
また、第３のレイヤーのチャネルを推定するために３個のＤＲＳで同じシーケンス（Ｓ３（ｉ））が転送され、３個のＤＲＳのうちの任意の２個には直交位相ｅｊ（４π／３）、ｅｊ（８π／３）（＝ｅｊ（２π／３））をかけることができる。この場合、第３のレイヤーに対する３個のＤＲＳ位置にＳ３（ｉ）、ｅｊ（４π／３）・Ｓ３（ｉ）、及びｅｊ（２π／３）・Ｓ３（ｉ）を転送することができる。これは、第３のレイヤーに対する３個のＤＲＳ位置に転送されるシーケンスに、大きさ３の直交行列（ＤＦＴ行列（Ｄ３））の第３の行の直交カバー（１，ｅｊ（４π／３），ｅｊ（８π／３））がかけられることと表現することもできる。ここで、Ｓ１（ｉ）、Ｓ２（ｉ）及びＳ３（ｉ）は、同じシーケンスでもよく、互いに異なるシーケンスでもよい。
【００８６】
図９を参照して、３個のレイヤーのチャネルを区別するために、ＤＲＳが転送される時に少なくとも４個のＤＲＳが用いられる場合について説明する。４個のＤＲＳ位置は、同じＯＦＤＭシンボル上の互いに異なる４個の副搬送波位置でもよく（図９（ａ））、同じ副搬送波上の互いに異なる４個のＯＦＤＭシンボル位置でもよい（図９（ｂ））。または、４個のＤＲＳ位置は、同じ一つの副搬送波上の互いに異なる２個のＯＦＤＭシンボル位置、及び他の副搬送波上の互いに異なる２個のＯＦＤＭシンボル位置でもよい（図９（ｃ））。図９では、ＤＲＳの配置されるリソース要素が時間上または周波数上で連接しているものとして示しているが、これに限定されるものではなく、ＤＲＳの配置されるリソース要素が時間上または周波数上で連接しなくてもよい。図９の第１のレイヤー乃至第３のレイヤーに対するＤＲＳの配置されるリソース要素は、同じ位置のリソース要素に相当する。
【００８７】
３個のレイヤーのチャネルを区別するために、ＤＲＳが転送される時に少なくとも４個のＤＲＳが用いられる場合に、大きさ４のＤＦＴ行列（Ｄ４）または大きさ４のウォルシュ行列（Ｈ３）の任意の３個の行または列を直交カバリングとして用いることができる。例えば、ウォルシュ行列（Ｈ３）の第１乃至第３の行が用いられると仮定する。第１のレイヤーのチャネルを推定するためには４個のＤＲＳで同じシーケンス（Ｓ１（ｉ））が転送され、ウォルシュ行列（Ｈ３）の第１の行（１，１，１，１）がかけられる。すなわち、４個のＤＲＳ位置にＳ１（ｉ）、Ｓ１（ｉ）、Ｓ１（ｉ）及びＳ１（ｉ）が転送される。第２のレイヤーのチャネルを推定するためには４個のＤＲＳで同じシーケンス（Ｓ２（ｉ））が転送され、ウォルシュ行列（Ｈ３）の第２の行（１，−１，１，−１）がかけられる。すなわち、４個のＤＲＳ位置にＳ２（ｉ）、−Ｓ２（ｉ）、Ｓ２（ｉ）、及び−Ｓ２（ｉ）が転送される。第３のレイヤーのチャネルを推定するためには４個のＤＲＳで同じシーケンス（Ｓ３（ｉ））が転送され、ウォルシュ行列（Ｈ３）の第３の行（１，１，−１，−１）がかけられる。すなわち、４個のＤＲＳ位置にＳ３（ｉ）、Ｓ３（ｉ）、−Ｓ３（ｉ）、及び−Ｓ３（ｉ）が転送される。ここで、Ｓ１（ｉ）、Ｓ２（ｉ）及びＳ３（ｉ）は、同じシーケンスでも、互いに異なるシーケンスでもよい。
【００８８】
図１０を参照して、４個のレイヤーのチャネルを区別するために、ＤＲＳが転送される時に少なくとも４個のＤＲＳが用いられる場合について説明する。４個のＤＲＳ位置は、同じＯＦＤＭシンボル上の互いに異なる４個の副搬送波位置でもよく（図１０（ａ））、同じ副搬送波上の互いに異なる４個のＯＦＤＭシンボル位置でもよい（図１０（ｂ））。または、４個のＤＲＳ位置は、同じ一つの副搬送波上の互いに異なる２個のＯＦＤＭシンボル位置及び他の副搬送波上の互いに異なる２個のＯＦＤＭシンボル位置でもよい（図１０（ｃ））。図１０では、ＤＲＳの配置されるリソース要素が時間上または周波数上に連接しているものとして示しているが、これに限定されるものではなく、ＤＲＳの配置されるリソース要素が時間上または周波数上連接しなくてもよい。図１０の第１のレイヤー乃至第４のレイヤーに対するＤＲＳの配置されるリソース要素は、同じ位置のリソース要素に相当する。
【００８９】
４個のレイヤーのチャネルを区別するために、ＤＲＳが転送される時に少なくとも４個のＤＲＳが用いられる場合に、大きさ４のＤＦＴ行列（Ｄ４）または大きさ４のウォルシュ行列（Ｈ３）の行または列を直交カバリングとして用いることができる。
【００９０】
例えば、ウォルシュ行列（Ｈ３）が用いられる場合について説明する。第１のレイヤーのチャネルを推定するためには４個のＤＲＳで同じシーケンス（Ｓ１（ｉ））が転送され、ウォルシュ行列（Ｈ３）の第１の行（１，１，１，１）がかけられる。すなわち、４個のＤＲＳ位置にＳ１（ｉ）、Ｓ１（ｉ）、Ｓ１（ｉ）、及びＳ１（ｉ）が転送される。第２のレイヤーのチャネルを推定するためには４個のＤＲＳで同じシーケンス（Ｓ２（ｉ））が転送され、ウォルシュ行列（Ｈ３）の第２の行（１，−１，１，−１）がかけられる。すなわち、４個のＤＲＳ位置にＳ２（ｉ）、−Ｓ２（ｉ）、Ｓ２（ｉ）、及び−Ｓ２（ｉ）が転送される。第３のレイヤーのチャネルを推定するためには４個のＤＲＳで同じシーケンス（Ｓ３（ｉ））が転送され、ウォルシュ行列（Ｈ３）の第３の行（１，１，−１，−１）がかけられる。すなわち、４個のＤＲＳ位置にＳ３（ｉ）、Ｓ３（ｉ）、−Ｓ３（ｉ）、及び−Ｓ３（ｉ）が転送される。第４のレイヤーのチャネルを推定するためには４個のＤＲＳで同じシーケンス（Ｓ４（ｉ））が転送され、ウォルシュ行列（Ｈ３）の第４の行（１，−１，−１，１）がかけられる。すなわち、４個のＤＲＳ位置にＳ４（ｉ）、−Ｓ４（ｉ）、−Ｓ４（ｉ）、及びＳ４（ｉ）が転送される。ここで、Ｓ１（ｉ）、Ｓ２（ｉ）、Ｓ３（ｉ）、及びＳ４（ｉ）は同じシーケンスでもよく、互いに異なるシーケンスでもよい。
【００９１】
例えば、ＤＦＴ行列（Ｄ４）が用いられる場合について説明する。第１のレイヤーのチャネルを推定するためには４個のＤＲＳで同じシーケンス（Ｓ１（ｉ））が転送され、ＤＦＴ行列（Ｄ４）の第１の行（１，１，１，１）がかけられる。すなわち、４個のＤＲＳ位置にＳ１（ｉ）、Ｓ１（ｉ）、Ｓ１（ｉ）、及びＳ１（ｉ）が転送される。第２のレイヤーのチャネルを推定するためには４個のＤＲＳで同じシーケンス（Ｓ２（ｉ））が転送され、ＤＦＴ行列（Ｄ４）の第２の行（１、ｊ、−１、−ｊ）がかけられる。すなわち、４個のＤＲＳ位置にＳ２（ｉ）、ｊＳ２（ｉ）、−Ｓ２（ｉ）、及び−ｊＳ２（ｉ）が転送される。第３のレイヤーのチャネルを推定するためには４個のＤＲＳで同じシーケンス（Ｓ３（ｉ））が転送され、ＤＦＴ行列（Ｄ４）の第３の行（１、−１，１、−１）がかけられる。すなわち、４個のＤＲＳ位置にＳ３（ｉ）、−Ｓ３（ｉ）、Ｓ３（ｉ）、及び−Ｓ３（ｉ）が転送される。第４のレイヤーのチャネルを推定するためには４個のＤＲＳで同じシーケンス（Ｓ４（ｉ））が転送され、ＤＦＴ行列（Ｄ４）の第４の行（１，−ｊ，−１，ｊ）がかけられる。すなわち、４個のＤＲＳ位置にＳ４（ｉ）、−ｊＳ４（ｉ）、−Ｓ４（ｉ）及びｊＳ４（ｉ）が転送される。ここで、Ｓ１（ｉ）、Ｓ２（ｉ）、Ｓ３（ｉ）及びＳ４（ｉ）は同じシーケンスでもよく、互いに異なるシーケンスでもよい。
【００９２】
図１１を参照して、４個のレイヤーのチャネルを区別するために、ＤＲＳが転送される時に少なくとも４個のＤＲＳが用いられる場合について説明する。４個のＤＲＳ位置は、２個のＤＲＳを一つの対（ｐａｉｒ）とし、２個のＤＲＳ対を有し、２個のＤＲＳ対は、周波数または時間領域で区別されるように（すなわち、ＦＤＭまたはＴＤＭ方式で）配置することができる。ここで、一つのＤＲＳ対を用いて２個のレイヤーを直交コードを用いて区別し、他のＤＲＳ対を用いて残り２個のレイヤーを直交コードを用いて区別することができる。４個のＤＲＳ位置は、同じＯＦＤＭシンボル上の互いに異なる４個の副搬送波位置でもよく（図１１（ａ））、同じ副搬送波上の互いに異なる４個のＯＦＤＭシンボル位置でもよい（図１１（ｂ））。または、４個のＤＲＳ位置は、同一の一つの副搬送波上の互いに異なる２個のＯＦＤＭシンボル位置、及び異なる副搬送波上の互いに異なる２個のＯＦＤＭシンボル位置でもよい（図１１（ｃ））。図１１では、ＤＲＳの配置されるリソース要素が時間上または周波数上に連接しているものとして示しているが、これに限定されるものではなく、ＤＲＳの配置されるリソース要素が時間上または周波数上に連接しなくてもよい。
【００９３】
例えば、第１のＤＲＳ対の２個のＤＲＳ位置は、第１及び第２のレイヤーに対して用いられ、第１及び第２のレイヤーは直交カバリング（例えば、大きさ２のウォルシュ行列（Ｈ２））を用いて区別される。また、第２のＤＲＳ対の２個のＤＲＳ位置は第３及び第４のレイヤーに対し用いられ、第３及び第４のレイヤーは直交カバリング（例えば、大きさ２のウォルシュ行列（Ｈ２））を用いて区別される。図１１の第１のレイヤー及び第２のレイヤーに対するＤＲＳが配置されるリソース要素（第１のＤＲＳ対）は、同じ位置のリソース要素に相当する。また、図１１の第３のレイヤー及び第４のレイヤーに対するＤＲＳが配置されるリソース要素（第２のＤＲＳ対）は、同じ位置のリソース要素に相当する。
例えば、第１のＤＲＳ対において第１のレイヤーのチャネルを推定するためには２個のＤＲＳで同じシーケンス（Ｓ１（ｉ））が転送され、ウォルシュ行列（Ｈ２）の第１の行（１，１）がかけられる。すなわち、２個のＤＲＳ位置にＳ１（ｉ）及びＳ１（ｉ）が転送される。第２のレイヤーのチャネルを推定するためには２個のＤＲＳで同じシーケンス（Ｓ２（ｉ））が転送され、ウォルシュ行列（Ｈ２）の第２の行（１，−１）がかけられる。すなわち、２個のＤＲＳ位置にＳ２（ｉ）及び−Ｓ２（ｉ）が転送される。
【００９４】
次に、第２のＤＲＳ対において第３のレイヤーのチャネルを推定するためには２個のＤＲＳで同じシーケンス（Ｓ３（ｉ））が転送され、ウォルシュ行列（Ｈ２）の第１の行（１，１）がかけられる。すなわち、２個のＤＲＳ位置にＳ３（ｉ）及びＳ３（ｉ）が転送される。第４のレイヤーのチャネルを推定するためには、２個のＤＲＳで同じシーケンス（Ｓ４（ｉ））が転送され、ウォルシュ行列（Ｈ２）の第２の行（１，−１）がかけられる。すなわち、２個のＤＲＳ位置にＳ４（ｉ）及び−Ｓ４（ｉ）が転送される。
【００９５】
以下では、前述した直交カバリングを用いて多重レイヤーに対するＤＲＳをリソース要素上にＣＤＭ方式で配置して転送する実施例について説明する。以下の実施例では、図６に示すＤＲＳパターンに基づいて説明するが、これに制限されるものではない。特に、図６に示すＤＲＳパターンの様々な変形例である図１６乃至図３０にも、以下の実施例の方法が同一に適用されてもよい。
【００９６】
図１２を参照してランク２転送の場合に対するＤＲＳをリソース要素上にＣＤＭ方式で配置する実施例について説明する。
【００９７】
ランク２転送の場合に、前述したＤＲＳグループ＃０または＃１のいずれかのグループを用いることができる。例えば、ＤＲＳグループ＃０が用いられる場合には、図１２においてＡ及びＢで表示されたＤＲＳ位置が用いられる。一方、ＤＲＳグループ＃１が用いられる場合には、図１２においてＣ及びＤで表示されたＤＲＳ位置が用いられる。以下の説明では、ＤＲＳグループ＃０が用いられるとする。
【００９８】
図１２において、２個のレイヤーを区別するために用いられる直交カバーについて説明する。
【００９９】
図１２（ａ）及び図１２（ｂ）に示すように、ＤＲＳが４個のＯＦＤＭシンボル上に位置する場合には、長さ４の直交コードを用いることができる。長さ４の直交コードを生成するために、大きさ２の直交カバー行列を用いる場合には、当該行列の一つの行または列の要素を循環反復して用いることができる。例えば、大きさ２のウォルシュ行列の第１の行である（１，１）を循環反復して、長さ４の直交コードである（１，１，１，１）を４個のＯＦＤＭシンボルにわたってかけることができ、大きさ２のウォルシュ行列の第２の行である（１，−１）を循環反復して、長さ４の直交コードである（１，−１，１，−１）を４個のＯＦＤＭシンボルにわたってかけることができる。または、長さ４の直交コードとして大きさ４のウォルシュ行列またはＤＦＴ行列の一つの行または列が用いられてもよい。この場合には、大きさ４のウォルシュ行列またはＤＦＴ行列の任意の２個の行または列を、２個のレイヤーを区別するための直交コードとして用いることができる。
【０１００】
図１２（ｃ）のようにＤＲＳが６個の副搬送波上に位置する場合には、長さ６の直交コードを用いることができる。例えば、長さ６の直交コードを生成するために大きさ２のウォルシュ行列を用いる場合には、大きさ２のウォルシュ行列の第１の行である（１，１）を循環反復して長さ６の直交コードである（１，１，１，１，１，１）を６個の副搬送波にわたってかけることができ、大きさ２のウォルシュ行列の第２の行である（１，−１）を循環反復して長さ６の直交コードである（１，−１，１，−１，１，−１）を６個の副搬送波にわたってかけることができる。または、長さ６の直交コードとして大きさ３のＤＦＴ行列の一つの行または列を循環反復して用いることもできる。この場合には、大きさ３のＤＦＴ行列の任意の２個の行または列を２個のレイヤーを区別するための直交コードとして用いることができる。または、長さ６の直交コードとして大きさ４のウォルシュ行列またはＤＦＴ行列の一つの行または列を循環反復して用いることもできる。この場合には大きさ４のウォルシュ行列またはＤＦＴ行列の任意の２個の行または列を２個のレイヤーを区別するための直交コードとして用いることができる。
【０１０１】
直交コードを生成しうる直交カバー行列は、前述の例に限定されず、ＤＲＳ位置に基づいてかけられる直交コードの長さが決定されると、適切な大きさの直交カバー行列の行または列を直接直交コードとして用いたり、行または列の要素を循環反復することによって直交コードを生成することができる。
【０１０２】
図１２（ａ）を参照すると、６個の副搬送波のそれぞれに対して２個の互いに異なるＯＦＤＭシンボル上にＡ及びＢが位置する。例えば、４番目、８番目及び１２番目の副搬送波のそれぞれにおいて６番目及び７番目のＯＦＤＭシンボル位置にＡ及びＢが位置し、２番目、６番目及び１０番目の副搬送波のそれぞれにおいて１０番目及び１１番目のＯＦＤＭシンボル位置にＡ及びＢが位置する。
【０１０３】
第１のレイヤーのチャネルを推定するために４個のＯＦＤＭシンボルにわたって直交カバー（１，１，１，１）をかけることができる（すなわち、時間領域カバリング）。例えば、図１２（ａ）の６番目、７番目、１０番目及び１１番目のＯＦＤＭシンボルにおいてＡ及びＢで表示されるＤＲＳ位置におけるシーケンス（Ｓ１（ｉ））に、直交カバー（１，１，１，１）をかけて、Ｓ１（ｉ）、Ｓ１（ｉ）、Ｓ１（ｉ）及びＳ１（ｉ）を転送することができる。
【０１０４】
第２のレイヤーのチャネルを推定するために４個のＯＦＤＭシンボルにわたって直交カバー（１，−１，１，−１）をかけることができる（すなわち、時間領域カバリング）。例えば、図１２（ａ）の６番目、７番目、１０番目及び１１番目のＯＦＤＭシンボルにおいてＡ及びＢで表示されるＤＲＳ位置におけるシーケンス（Ｓ２（ｉ））に直交カバー（１，−１，１，−１）をかけて、Ｓ２（ｉ）、−Ｓ２（ｉ）、Ｓ２（ｉ）及び−Ｓ２（ｉ）を転送することができる。ここで、Ｓ１（ｉ）及びＳ２（ｉ）は、同じシーケンスでもよく、互いに異なるシーケンスでもよい。
【０１０５】
図１２（ｂ）を参照すると、３個の副搬送波のそれぞれに対して４個の互いに異なるＯＦＤＭシンボル上にＡ及びＢが位置する。例えば、１番目、６番目及び１１番目の副搬送波のそれぞれにおいて６番目及び７番目のＯＦＤＭシンボル位置にＡ及びＢが位置し、１０番目及び１１番目のＯＦＤＭシンボル位置にＡ及びＢが位置する。
【０１０６】
第１のレイヤーのチャネルを推定するために４個のＯＦＤＭシンボルにわたって直交カバー（１，１，１，１）をかけることができる（すなわち、時間領域カバリング）。例えば、図１２（ａ）の６番目、７番目、１０番目及び１１番目のＯＦＤＭシンボルにおいてＡ及びＢで表示されるＤＲＳ位置におけるシーケンス（Ｓ１（ｉ））に直交カバー（１，１，１，１）をかけて、Ｓ１（ｉ）、Ｓ１（ｉ）、Ｓ１（ｉ）及びＳ１（ｉ）を転送することができる。
【０１０７】
第２のレイヤーのチャネルを推定するために４個のＯＦＤＭシンボルにわたって直交カバー（１，−１，１，−１）をかけることができる（すなわち、時間領域カバリング）。例えば、図１２（ａ）の６番目、７番目、１０番目及び１１番目のＯＦＤＭシンボルにおいてＡ及びＢで表示されるＤＲＳ位置におけるシーケンス（Ｓ２（ｉ））に直交カバー（１，−１，１，−１）をかけて、Ｓ２（ｉ）、−Ｓ２（ｉ）、Ｓ２（ｉ）及び−Ｓ２（ｉ）を転送することができる。ここで、Ｓ１（ｉ）及びＳ２（ｉ）は、同じシーケンスでもよく、互いに異なるシーケンスでもよい。
【０１０８】
図１２（ｃ）を参照すると、２個のＯＦＤＭシンボルのそれぞれに対して６個の互いに異なる副搬送波上にＡ及びＢが位置する。例えば、６番目のＯＦＤＭシンボル位置において１番目及び２番目の副搬送波上にＡ及びＢが位置し、６番目及び７番目の副搬送波上にＡ及びＢが位置し、１１番目及び１２番目の副搬送波上にＡ及びＢが位置する。また、１１番目のＯＦＤＭシンボル位置において１番目及び２番目の副搬送波上にＡ及びＢが位置し、６番目及び７番目の副搬送波上にＡ及びＢが位置し、１１番目及び１２番目の副搬送波上にＡ及びＢが位置する。
【０１０９】
第１のレイヤーのチャネルを推定するために６個の副搬送波位置にわたって直交カバー（１，１，１，１，１，１）をかけることができる（すなわち、周波数領域カバリング）。例えば、図１２（ａ）の１番目、２番目、６番目、７番目、１１番目及び１２番目の副搬送波上でＡ及びＢで表示されるＤＲＳ位置におけるシーケンス（Ｓ１（ｉ））に直交カバー（１，１，１，１，１，１）をかけて、Ｓ１（ｉ）、Ｓ１（ｉ）、Ｓ１（ｉ）、Ｓ１（ｉ）、Ｓ１（ｉ）及びＳ１（ｉ）を転送することができる。
【０１１０】
第２のレイヤーのチャネルを推定するために６個の副搬送波位置にわたって直交カバー（１，−１，１，−１，１，−１）をかけることができる（すなわち、周波数領域カバリング）。例えば、図１２（ａ）の１番目、２番目、６番目、７番目、１１番目及び１２番目の副搬送波上でＡ及びＢで表示されるＤＲＳ位置におけるシーケンス（Ｓ２（ｉ））に直交カバー（１，−１，１，−１，１，−１）をかけて、Ｓ２（ｉ）、−Ｓ２（ｉ）、Ｓ２（ｉ）、−Ｓ２（ｉ）、Ｓ２（ｉ）及び−Ｓ２（ｉ）を転送することができる。ここで、Ｓ１（ｉ）及びＳ２（ｉ）は、同じシーケンスでもよく、互いに異なるシーケンスでもよい。
【０１１１】
図１２（ａ）及び１２（ｂ）の場合について時間領域カバリングを中心に説明したが、同じＤＲＳパターンについて、図１２（ｃ）で説明したような方式で周波数領域カバリングが適用されてもよい。すなわち、３個の副搬送波上に長さ３の直交する２個のコードをかけて２個のレイヤーに対するＤＲＳを区別することができる。同様に、図１２（ｃ）の場合について周波数領域カバリングを中心に説明したが、同じＤＲＳパターンに対して図１２（ａ）及び１２（ｂ）で説明したような方式で時間領域カバリングが適用されてもよい。すなわち、長さ２の直交する２個のコードをかけて２個のレイヤーに対するＤＲＳを区別することができる。
【０１１２】
図１３を参照してランク３転送の場合に対するＤＲＳをリソース要素上にＣＤＭ方式で配置する実施例について説明する。
【０１１３】
ランク３転送の場合に、前述したＤＲＳグループ＃０または＃１のいずれかのグループを用いることができる。例えば、ＤＲＳグループ＃０が用いられる場合には、図１３においてＡ及びＢで表示されたＤＲＳ位置が用いられる。一方、ＤＲＳグループ＃１が用いられる場合には、図１３においてＣ及びＤで表示されたＤＲＳ位置が用いられる。以下の説明では、ＤＲＳグループ＃０が用いられるとする。
【０１１４】
図１３において、３個のレイヤーを区別するために用いられる直交カバーについて説明する。
【０１１５】
図１３（ａ）及び図１３（ｂ）のように、ＤＲＳが互いに異なる４個のＯＦＤＭシンボル上に位置する場合には、長さ４の直交コードを用いることができる。長さ４の直交コードを生成するために大きさ３のＤＦＴ行列を用いる場合には、大きさ３のＤＦＴ行列の一つの行または列の要素を循環反復して用いることができる。例えば、大きさ３のＤＦＴ行列の第１の行である（１，１，１）を循環反復して、長さ４の直交コードである（１，１，１，１）を４個のＯＦＤＭシンボルにわたってかけることができ、大きさ３のＤＦＴ行列の第２の行である（１，ｅｊ（２π／３），ｅｊ（４π／３））を循環反復して、長さ４の直交コードである（１，ｅｊ（２π／３），ｅｊ（４π／３），１）を４個のＯＦＤＭシンボルにわたってかけることができ、大きさ３のＤＦＴ行列の第３の行である（１，ｅｊ（４π／３），ｅｊ（８π／３））を循環反復して、長さ４の直交コードである（１，ｅｊ（４π／３），ｅｊ（８π／３），１）を４個のＯＦＤＭシンボルにわたってかけることができる。または、長さ４の直交コードとして大きさ４のウォルシュ行列またはＤＦＴ行列の一つの行または列を用いることができる。この場合には、大きさ４のウォルシュ行列またはＤＦＴ行列の任意の３個の行または列を、３個のレイヤーを区別するための直交コードとして用いることができる。
【０１１６】
図１３（ｃ）のように、ＤＲＳが６個の副搬送波上に位置する場合には、長さ６の直交コードを用いることができる。例えば、長さ６の直交コードを生成するために大きさ３のＤＦＴ行列を用いる場合には、大きさ３のＤＦＴ行列の第１の行である（１，１，１）を循環反復して、長さ６の直交コードである（１，１，１，１，１，１）を６個の副搬送波にわたってかけることができ、大きさ３のＤＦＴ行列の第２の行である（１，ｅｊ（２π／３），ｅｊ（４π／３））を循環反復して、長さ６の直交コードである（１，ｅｊ（２π／３），ｅｊ（４π／３），１，ｅｊ（２π／３），ｅｊ（４π／３））を６個の副搬送波にわたってかけることができ、大きさ３のＤＦＴ行列の第３の行である（１，ｅｊ（４π／３），ｅｊ（８π／３））を循環反復して、長さ６の直交コードである（１，ｅｊ（４π／３），ｅｊ（８π／３），１，ｅｊ（４π／３），ｅｊ（８π／３））を６個の副搬送波にわたってかけることができる。または、長さ６の直交コードとして大きさ４のウォルシュ行列またはＤＦＴ行列の一つの行または列を循環反復して用いることもできる。この場合には、大きさ４のウォルシュ行列またはＤＦＴ行列の任意の３個の行または列を、３個のレイヤーを区別するための直交コードとして用いることができる。
【０１１７】
直交コードを生成しうる直交カバー行列は、前述の例に限定されず、ＤＲＳ位置に基づいてかけられる直交コードの長さが決定されると、適切な大きさの直交カバー行列の行または列を直接直交コードとして用いたり、行または列の要素を循環反復することによって直交コードを生成することができる。
【０１１８】
以下の実施例では、長さ４のウォルシュ行列から生成された直交コードを用いて３個のレイヤーを区別する例について説明する。
【０１１９】
図１３（ａ）を参照すると、６個の副搬送波のそれぞれに対して２個の互いに異なるＯＦＤＭシンボル上にＡ及びＢが位置する。具体的に、４番目、８番目及び１２番目の副搬送波のそれぞれにおいて６番目及び７番目のＯＦＤＭシンボル位置にＡ及びＢが位置し、２番目、６番目及び１０番目の副搬送波のそれぞれにおいて１０番目及び１１番目のＯＦＤＭシンボル位置にＡ及びＢが位置する。
【０１２０】
図１３（ｂ）を参照すると、３個の副搬送波のそれぞれに対して４個の互いに異なるＯＦＤＭシンボル上にＡ及びＢが位置する。例えば、１番目、６番目及び１１番目の副搬送波のそれぞれにおいて６番目及び７番目のＯＦＤＭシンボル位置にＡ及びＢが位置し、１０番目及び１１番目のＯＦＤＭシンボル位置にＡ及びＢが位置する。
【０１２１】
図１３（ａ）及び図１３（ｂ）に示すそれぞれのＤＲＳパターンについて、第１のレイヤーのチャネルを推定するために４個のＯＦＤＭシンボルにわたって直交カバー（１，１，１，１）をかけることができる。また、第２のレイヤーのチャネルを推定するために４個のＯＦＤＭシンボルにわたって直交カバー（１，−１，１，−１）をかけることができる。また、第３のレイヤーのチャネルを推定するために４個のＯＦＤＭシンボルにわたって直交カバー（１，１，−１、−１）をかけることができる。すなわち、ＤＲＳシーケンスは直交コードによって時間領域カバリングされる。
【０１２２】
例えば、図１３（ａ）または図１３（ｂ）の６番目、７番目、１０番目及び１１番目のＯＦＤＭシンボルにおいてＡ及びＢで表示されるＤＲＳ位置で、第１のレイヤーに対するシーケンス（Ｓ１（ｉ））に直交カバー（１，１，１，１）をかけて、Ｓ１（ｉ）、Ｓ１（ｉ）、Ｓ１（ｉ）及びＳ１（ｉ）を転送することができ、第２のレイヤーに対するシーケンス（Ｓ２（ｉ））に直交カバー（１，−１，１，−１）をかけて、Ｓ２（ｉ）、−Ｓ２（ｉ）、Ｓ２（ｉ）及び−Ｓ２（ｉ）を転送することができ、第３のレイヤーに対するシーケンス（Ｓ３（ｉ））に直交カバー（１，１，−１、−１）をかけて、Ｓ３（ｉ）、Ｓ３（ｉ）、−Ｓ３（ｉ）及び−Ｓ３（ｉ）を転送することができる。ここで、Ｓ１（ｉ）、Ｓ２（ｉ）及びＳ３（ｉ）は、同じシーケンスでもよく、互いに異なるシーケンスでもよい。
【０１２３】
図１３（ｃ）を参照すると、２個のＯＦＤＭシンボルのそれぞれに対して６個の互いに異なる副搬送波上にＡ及びＢが位置する。例えば、６番目のＯＦＤＭシンボル位置において１番目及び２番目の副搬送波上にＡ及びＢが位置し、６番目及び７番目の副搬送波上にＡ及びＢが位置し、１１番目及び１２番目の副搬送波上にＡ及びＢが位置する。また、１１番目のＯＦＤＭシンボル位置に１番目及び２番目の副搬送波上にＡ及びＢが位置し、６番目及び７番目の副搬送波上にＡ及びＢが位置し、１１番目及び１２番目の副搬送波上にＡ及びＢが位置する。
【０１２４】
第１のレイヤーのチャネルを推定するために６個の副搬送波にわたって直交カバー（１，１，１，１，１，１）をかけることができる。また、第２のレイヤーのチャネルを推定するために６個の副搬送波にわたって直交カバー（１，−１，１，−１，１，−１）をかけることができる。また、第３のレイヤーのチャネルを推定するために６個の副搬送波にわたって直交カバー（１，１，−１、−１，１，１）をかけることができる。すなわち、ＤＲＳシーケンスは直交コードによって周波数領域カバリングされる。
【０１２５】
例えば、図１３（ｃ）の１番目、２番目、６番目、７番目、１１番目及び１２番目の副搬送波上においてＡ及びＢで表示されるＤＲＳ位置で、第１のレイヤーに対するシーケンス（Ｓ１（ｉ））に直交カバー（１，１，１，１，１，１）をかけて、Ｓ１（ｉ）、Ｓ１（ｉ）、Ｓ１（ｉ）、Ｓ１（ｉ）、Ｓ１（ｉ）及びＳ１（ｉ）を転送することができ、第２のレイヤーに対するシーケンス（Ｓ２（ｉ））に直交カバー（１，−１，１，−１，１，−１）をかけて、Ｓ２（ｉ）、−Ｓ２（ｉ）、Ｓ２（ｉ）、−Ｓ２（ｉ）、Ｓ２（ｉ）及び−Ｓ２（ｉ）を転送することができ、第３のレイヤーに対するシーケンス（Ｓ３（ｉ））に直交カバー（１，１，−１、−１，１，１）をかけて、Ｓ３（ｉ）、Ｓ３（ｉ）、−Ｓ３（ｉ）、−Ｓ３（ｉ）、Ｓ３（ｉ）及びＳ３（ｉ）を転送することができる。ここで、Ｓ１（ｉ）、Ｓ２（ｉ）及びＳ３（ｉ）は、同じシーケンスでもよく、互いに異なるシーケンスでもよい。
【０１２６】
図１３（ａ）及び１３（ｂ）の場合について時間領域カバリングを中心に説明したが、同じＤＲＳパターンに対して、図１３（ｃ）で説明したような方式で周波数領域カバリングが適用されてもよい。すなわち、３個の副搬送波上に長さ３の直交する３個のコードをかけて３個のレイヤーに対するＤＲＳを区別することができる。同様に、図１３（ｃ）の場合について周波数領域カバリングを中心に説明したが、同じＤＲＳパターンに対して図１３（ａ）及び１３（ｂ）で説明したような方式で時間領域カバリングが適用されてもよい。この場合は、ＣＤＭ方式とＦＤＭ方式とを混合して適用することができる。例えば、Ａで表示されるＤＲＳ位置に長さ２の直交する２個のコードをかけて第１及び第２のレイヤーに対するＤＲＳを区別し、Ｂで表示されるＤＲＳを用いて第３のレイヤーに対するＤＲＳを区別することができる。ＡとＢの互いに異なる副搬送波上の位置によってＦＤＭ方式で第１及び第２のレイヤーと第３のレイヤーとが区別され、同一にＡで表示される位置では第１及び第２のレイヤーがＣＤＭ方式で区別されることができる。
【０１２７】
図１４を参照してランク４転送の場合に対するＤＲＳをリソース要素上にＣＤＭ方式で配置する実施例について説明する。
【０１２８】
ランク４転送の場合に、前述したＤＲＳグループ＃０または＃１のいずれかのグループを用いることができる。例えば、ＤＲＳグループ＃０が用いられる場合には、図１４においてＡ及びＢで表示されたＤＲＳ位置が用いられる。一方、ＤＲＳグループ＃１が用いられる場合には、図１４においてＣ及びＤで表示されたＤＲＳ位置が用いられる。以下の説明ではＤＲＳグループ＃０が用いられるとする。
【０１２９】
図１４において、４個のレイヤーを区別するために用いられる直交カバーについて説明する。
【０１３０】
図１４（ａ）及び図１４（ｂ）のように、ＤＲＳが互いに異なる４個のＯＦＤＭシンボル上に位置する場合には、長さ４の直交コードを用いることができる。長さ４の直交コードを生成するために、大きさ４のウォルシュ行列またはＤＦＴ行列を用いることができる。
【０１３１】
図１４（ｃ）のように、ＤＲＳが６個の副搬送波上に位置する場合には、長さ６の直交コードを用いることができる。長さ４の直交コードを生成するために、大きさ４のウォルシュ行列またはＤＦＴ行列を用いることができる。例えば、長さ６の直交コードを生成するために、大きさ４のウォルシュ行列を用いる場合には、大きさ４のウォルシュ行列の第１の行である（１，１，１，１）を循環反復して、長さ６の直交コードである（１，１，１，１，１，１）を６個の副搬送波にわたってかけることができ、大きさ４のウォルシュ行列の第２の行である（１，−１，１，−１）を循環反復して、長さ６の直交コードである（１，−１，１，−１，１，−１）を６個の副搬送波にわたってかけることができ、大きさ４のウォルシュ行列の第３の行である（１，１，−１、−１）を循環反復して、長さ６の直交コードである（１，１，−１、−１，１，１）を６個の副搬送波にわたってかけることができ、大きさ４のウォルシュ行列の第４の行である（１，−１、−１，１）を循環反復して、長さ６の直交コードである（１，−１、−１，１，１，−１）を６個の副搬送波にわたってかけることができる。
【０１３２】
直交コードを生成しうる直交カバー行列は、前述の例に限定されず、ＤＲＳ位置に基づいてかけられる直交コードの長さが決定されると、適切な大きさの直交カバー行列の行または列を直交コードとして直接用いたり、行または列の要素を循環反復することによって直交コードを生成することができる。
【０１３３】
以下の実施例では、長さ４のウォルシュ行列から生成された直交コードを用いて４個のレイヤーを区別する例について説明する。
【０１３４】
図１４（ａ）を参照すると、６個の副搬送波のそれぞれに対して２個の互いに異なるＯＦＤＭシンボル上にＡ及びＢが位置する。具体的に、４番目、８番目及び１２番目の副搬送波のそれぞれにおいて６番目及び７番目のＯＦＤＭシンボル位置にＡ及びＢが位置し、２番目、６番目及び１０番目の副搬送波のそれぞれにおいて１０番目及び１１番目のＯＦＤＭシンボル位置にＡ及びＢが位置する。
【０１３５】
図１４（ｂ）を参照すると、３個の副搬送波のそれぞれに対して４個の互いに異なるＯＦＤＭシンボル上にＡ及びＢが位置する。例えば、１番目、６番目及び１１番目の副搬送波のそれぞれにおいて６番目及び７番目のＯＦＤＭシンボル位置にＡ及びＢが位置し、１０番目及び１１番目のＯＦＤＭシンボル位置にＡ及びＢが位置する。
【０１３６】
図１４（ａ）及び図１４（ｂ）に示すそれぞれのＤＲＳパターンに対して、第１のレイヤーのチャネルを推定するために４個のＯＦＤＭシンボルにわたって直交カバー（１，１，１，１）をかけることができる。また、第２のレイヤーのチャネルを推定するために４個のＯＦＤＭシンボルにわたって直交カバー（１，−１，１，−１）をかけることができる。また、第３のレイヤーのチャネルを推定するために４個のＯＦＤＭシンボルにわたって直交カバー（１，１，−１、−１）をかけることができる。また、第４のレイヤーのチャネルを推定するために４個のＯＦＤＭシンボルにわたって直交カバー（１，−１、−１，１）をかけることができる。すなわち、ＤＲＳシーケンスは直交コードによって時間領域カバリングされる。
【０１３７】
例えば、図１４（ａ）または図１４（ｂ）の６番目、７番目、１０番目及び１１番目のＯＦＤＭシンボルにおいてＡ及びＢで表示されるＤＲＳ位置で、第１のレイヤーに対するシーケンス（Ｓ１（ｉ））に直交カバー（１，１，１，１）をかけて、Ｓ１（ｉ）、Ｓ１（ｉ）、Ｓ１（ｉ）及びＳ１（ｉ）を転送することができ、第２のレイヤーに対するシーケンス（Ｓ２（ｉ））に直交カバー（１，−１，１，−１）をかけて、Ｓ２（ｉ）、−Ｓ２（ｉ）、Ｓ２（ｉ）及び−Ｓ２（ｉ）を転送することができ、第３のレイヤーに対するシーケンス（Ｓ３（ｉ））に直交カバー（１，１，−１、−１）をかけて、Ｓ３（ｉ）、Ｓ３（ｉ）、−Ｓ３（ｉ）及び−Ｓ３（ｉ）を転送することができ、第４のレイヤーに対するシーケンス（Ｓ４（ｉ））に直交カバー（１，−１、−１，１）をかけて、Ｓ４（ｉ）、−Ｓ４（ｉ）、−Ｓ４（ｉ）及びＳ４（ｉ）を転送することができる。ここで、Ｓ１（ｉ）、Ｓ２（ｉ）、Ｓ３（ｉ）及びＳ４（ｉ）は、同じシーケンスでもよく、互いに異なるシーケンスでもよい。
【０１３８】
図１４（ｃ）を参照すると、２個のＯＦＤＭシンボルのそれぞれに対して６個の互いに異なる副搬送波上にＡ及びＢが位置する。例えば、６番目のＯＦＤＭシンボル位置に１番目及び２番目の副搬送波上にＡ及びＢが位置し、６番目及び７番目の副搬送波上にＡ及びＢが位置し、１１番目及び１２番目の副搬送波上にＡ及びＢが位置する。また、１１番目のＯＦＤＭシンボル位置に１番目及び２番目の副搬送波上にＡ及びＢが位置し、６番目及び７番目の副搬送波上にＡ及びＢが位置し、１１番目及び１２番目の副搬送波上にＡ及びＢが位置する。
【０１３９】
第１のレイヤーのチャネルを推定するために６個の副搬送波にわたって直交カバー（１，１，１，１，１，１）をかけることができる。また、第２のレイヤーのチャネルを推定するために６個の副搬送波にわたって直交カバー（１，−１，１，−１，１，−１）をかけることができる。また、第３のレイヤーのチャネルを推定するために６個の副搬送波にわたって直交カバー（１，１，−１、−１，１，１）をかけることができる。また、第４のレイヤーのチャネルを推定するために６個の副搬送波にわたって直交カバー（１，−１、−１，１，１，−１）をかけることができる。すなわち、ＤＲＳシーケンスは直交コードによって周波数領域カバリングされる。
【０１４０】
例えば、図１４（ｃ）の１番目、２番目、６番目、７番目、１１番目及び１２番目の副搬送波上においてＡ及びＢで表示されるＤＲＳ位置で、第１のレイヤーに対するシーケンス（Ｓ１（ｉ））に直交カバー（１，１，１，１，１，１）をかけて、Ｓ１（ｉ）、Ｓ１（ｉ）、Ｓ１（ｉ）、Ｓ１（ｉ）、Ｓ１（ｉ）及びＳ１（ｉ）を転送することができ、第２のレイヤーに対するシーケンス（Ｓ２（ｉ））に直交カバー（１，−１，１，−１，１，−１）をかけて、Ｓ２（ｉ）、−Ｓ２（ｉ）、Ｓ２（ｉ）、−Ｓ２（ｉ）、Ｓ２（ｉ）及び−Ｓ２（ｉ）を転送することができ、第３のレイヤーに対するシーケンス（Ｓ３（ｉ））に直交カバー（１，１，−１、−１，１，１）をかけて、Ｓ３（ｉ）、Ｓ３（ｉ）、−Ｓ３（ｉ）、−Ｓ３（ｉ）、Ｓ３（ｉ）及びＳ３（ｉ）を転送することができ、第４のレイヤーに対するシーケンス（Ｓ４（ｉ））に直交カバー（１，−１、−１，１，１，−１）をかけて、Ｓ４（ｉ）、−Ｓ４（ｉ）、−Ｓ４（ｉ）、Ｓ４（ｉ）、Ｓ４（ｉ）及び−Ｓ４（ｉ）を転送することができる。ここで、Ｓ１（ｉ）、Ｓ２（ｉ）、Ｓ３（ｉ）及びＳ４（ｉ）は、同じシーケンスでもよく、互いに異なるシーケンスでもよい。
【０１４１】
図１４（ａ）及び１４（ｂ）の場合について時間領域カバリングを中心に説明したが、同じＤＲＳパターンに対して、図１４（ｃ）で説明したような方式で周波数領域カバリングが適用されてもよい。すなわち、３個の副搬送波上に長さ３の直交する４個のコードをかけて４個のレイヤーに対するＤＲＳを区別することができる。長さ３の直交コードを、大きさ２の直交カバー行列から循環反復手法を用いて生成することができる。同様に、図１４（ｃ）の場合について周波数領域カバリングを中心に説明したが、同じＤＲＳパターンに対して、図１４（ａ）及び１４（ｂ）で説明したような方式で時間領域カバリングが適用されてもよい。この場合は、ＣＤＭ方式とＦＤＭ方式とを混合して適用することができる。例えば、Ａで表示されるＤＲＳ位置に長さ２の直交する２個のコードをかけて第１及び第２のレイヤーに対するＤＲＳを区別し、Ｂで表示されるＤＲＳ位置に長さ２の直交する２個のコードをかけて第３及び第４のレイヤーに対するＤＲＳを区別することができる。
【０１４２】
図１５を参照してランク４転送の場合に対するＤＲＳをリソース要素上にＣＤＭ方式で配置する他の実施例について説明する。本実施例では、図１４についての説明と同様に、ＤＲＳグループ＃０（Ａ，Ｂ）が用いられるとする。
【０１４３】
図１５において、４個のレイヤーを区別するために大きさ２の直交カバー行列（例えば、大きさ２のウォルシュ行列）が用いられる場合について説明する。
【０１４４】
図１５（ａ）及び図１５（ｂ）のように、４個のＯＦＤＭシンボル上にＤＲＳが位置する場合に、２個のＯＦＤＭシンボル上に位置するＤＲＳを通じて２個のレイヤーを区別し、残り２個のＯＦＤＭシンボル上に位置するＤＲＳを通じて残り２個のレイヤーを区別することができる。例えば、図１５（ａ）及び図１５（ｂ）で、Ａの配置された２個のＯＦＤＭシンボルにわたって長さ２の直交コードを用いて２個のレイヤーを区別し、Ｂの配置された２個のＯＦＤＭシンボルにわたって長さ２の直交コードを用いて残り２個のレイヤーを区別することができる。または、Ａの配置された一つのＯＦＤＭシンボルとＢの配置された一つのＯＦＤＭシンボルにわたって長さ２の直交コードを用いて２個のレイヤーを区別し、Ａの配置された残り一つのＯＦＤＭシンボルとＢの配置された残り一つのＯＦＤＭシンボルにわたって長さ２の直交コードを用いて残り２個のレイヤーを区別することができる。
【０１４５】
ここで、４個のレイヤーのうち、２個のレイヤー（第１のレイヤーグループ）と残り２個のレイヤー（第２のレイヤーグループ）とは、互いに異なるＯＦＤＭシンボル上に位置するＤＲＳパターンを用いて区別するので、レイヤーグループ間にＴＤＭ方式で多重化が行なわれる。また、一つのレイヤーグループ内の２個のレイヤーは、同じＤＲＳパターンを用いると共に、直交コードを用いてＣＤＭ方式で多重化される。すなわち、図１５（ａ）及び１５（ｂ）の実施例は、ＴＤＭ方式とＣＤＭ方式を同時に適用することによって、大きさ２の直交カバー行列を用いて４個のレイヤーを区別する方式に相当する。
【０１４６】
図１５（ｃ）のように、６個の副搬送波上にＤＲＳが位置する場合に、Ａは３個の副搬送波上に位置し、Ｂは３個の互いに異なる副搬送波上に位置する。この場合、Ａの配置された３個の副搬送波にわたって長さ３の直交コードを用いて２個のレイヤーを区別でき、Ｂの配置された３個の副搬送波上にわたって長さ３の直交コードを用いて残り２個のレイヤーを区別することができる。長さ３の直交コードは、大きさ２のウォルシュ行列を一つの行または列の要素を循環反復することによって生成することができる。
【０１４７】
ここで、４個のレイヤーのうち、２個のレイヤー（第１のレイヤーグループ）と残り２個のレイヤー（第２のレイヤーグループ）とは、互いに異なる副搬送波上に位置するＤＲＳパターンを用いて区別されるので、レイヤーグループ間にＦＤＭ方式で多重化が行なわれる。また、一つのレイヤーグループ内の２個のレイヤーは、同じＤＲＳパターンを用いると共に、直交コードを用いてＣＤＭ方式で多重化される。すなわち、図１５（ｃ）の実施例は、ＦＤＭ方式とＣＤＭ方式を同時に適用することによって、大きさ２の直交カバー行列を用いて４個のレイヤーを区別する方式に相当する。
【０１４８】
以下の実施例では、長さ２のウォルシュ行列から生成された直交コードを用いて４個のレイヤーを区別する例について説明する。
【０１４９】
図１５（ａ）を参照すると、６個の副搬送波のそれぞれに対して２個の互いに異なるＯＦＤＭシンボル上にＡ及びＢが位置する。具体的に、Ａは、６番目のＯＦＤＭシンボルで４番目、８番目及び１２番目の副搬送波位置、及び１０番目のＯＦＤＭシンボルで２番目、６番目及び１０番目の副搬送波位置に配置される。Ｂは７番目のＯＦＤＭシンボルで４番目、８番目及び１２番目の副搬送波位置、及び１１番目のＯＦＤＭシンボルで２番目、６番目及び１０番目の副搬送波位置に配置される。
【０１５０】
図１５（ｂ）を参照すると、３個の副搬送波のそれぞれに対して４個の互いに異なるＯＦＤＭシンボル上にＡ及びＢが位置する。具体的に、Ａは６番目及び１０番目のＯＦＤＭシンボルのそれぞれにおいて１番目、６番目及び１１番目の副搬送波位置に配置される。Ｂは、７番目及び１１番目のＯＦＤＭシンボルのそれぞれにおいて１番目、６番目及び１１番目の副搬送波位置に配置される。
【０１５１】
図１５（ａ）及び図１５（ｂ）に示すそれぞれのＤＲＳパターンについて、第１のレイヤーのチャネルを推定するために、２個のＯＦＤＭシンボルにわたってＡで表示されるＤＲＳ位置に直交カバー（１，１）をかけることができる。また、第２のレイヤーのチャネルを推定するために、２個のＯＦＤＭシンボルにわたってＡで表示されるＤＲＳ位置に直交カバー（１，−１）をかけることができる。また、第３のレイヤーのチャネルを推定するために、２個のＯＦＤＭシンボルにわたってＢで表示されるＤＲＳ位置に直交カバー（１，１）をかけることができる。また、第４のレイヤーのチャネルを推定するために、２個のＯＦＤＭシンボルにわたってＢで表示されるＤＲＳ位置に直交カバー（１，−１）をかけることができる。すなわち、ＤＲＳシーケンスは、直交コードによって時間領域カバリングされる。
【０１５２】
例えば、図１５（ａ）または図１５（ｂ）の６番目及び１０番目のＯＦＤＭシンボルにおいてＡで表示されるＤＲＳ位置で、第１のレイヤーに対するシーケンス（Ｓ１（ｉ））に直交カバー（１，１）をかけてＳ１（ｉ）及びＳ１（ｉ）を転送することができ、第２のレイヤーに対するシーケンス（Ｓ２（ｉ））に直交カバー（１，−１）をかけて、Ｓ２（ｉ）及び−Ｓ２（ｉ）を転送することができる。また、図１５（ａ）または図１５（ｂ）の７番目及び１１番目のＯＦＤＭシンボルにおいてＢで表示されるＤＲＳ位置で、第３のレイヤーに対するシーケンス（Ｓ３（ｉ））に直交カバー（１，１）をかけて、Ｓ３（ｉ）及びＳ３（ｉ）を転送することができ、第４のレイヤーに対するシーケンス（Ｓ４（ｉ））に直交カバー（１，−１）をかけて、Ｓ４（ｉ）及び−Ｓ４（ｉ）を転送することができる。ここで、Ｓ１（ｉ）、Ｓ２（ｉ）、Ｓ３（ｉ）及びＳ４（ｉ）は、同じシーケンスでもよく、互いに異なるシーケンスでもよい。
【０１５３】
または、図１５（ａ）及び図１５（ｂ）に示すそれぞれのＤＲＳパターンについて、第１及び第２のレイヤーのチャネルのそれぞれを推定するために、Ａの配置された一つのＯＦＤＭシンボルとＢの配置された一つのＯＦＤＭシンボルにわたってＡ及びＢで表示されるＤＲＳ位置に直交カバー（１，１）及び（１，−１）をかけることができる。また、第３及び第４のレイヤーのチャネルのそれぞれを推定するために、Ａの配置された他のＯＦＤＭシンボルとＢの配置された他のＯＦＤＭシンボルにわたってＡ及びＢで表示されるＤＲＳ位置に直交カバー（１，１）及び（１，−１）をかけることができる。すなわち、ＤＲＳシーケンスは、直交コードによって時間領域カバリングされる。
【０１５４】
例えば、図１５（ａ）または図１５（ｂ）の６番目及び７番目のＯＦＤＭシンボルにおいてＡ及びＢで表示されるＤＲＳ位置で、第１のレイヤーに対するシーケンス（Ｓ１（ｉ））に直交カバー（１，１）をかけて、Ｓ１（ｉ）及びＳ１（ｉ）を転送することができ、第２のレイヤーに対するシーケンス（Ｓ２（ｉ））に直交カバー（１，−１）をかけて、Ｓ２（ｉ）及び−Ｓ２（ｉ）を転送することができる。また、図１５（ａ）または図１５（ｂ）の１０番目及び１１番目のＯＦＤＭシンボルにおいてＡ及びＢで表示されるＤＲＳ位置で、第３のレイヤーに対するシーケンス（Ｓ３（ｉ））に直交カバー（１，１）をかけて、Ｓ３（ｉ）及びＳ３（ｉ）を転送することができ、第４のレイヤーに対するシーケンス（Ｓ４（ｉ））に直交カバー（１，−１）をかけて、Ｓ４（ｉ）及び−Ｓ４（ｉ）を転送することができる。ここで、Ｓ１（ｉ）、Ｓ２（ｉ）、Ｓ３（ｉ）及びＳ４（ｉ）は、同じシーケンスでもよく、互いに異なるシーケンスでもよい。
【０１５５】
図１５（ｃ）を参照すると、２個のＯＦＤＭシンボルのそれぞれに対して６個の互いに異なる副搬送波上にＡ及びＢが位置する。例えば、６番目及び１１番目のＯＦＤＭシンボル位置のそれぞれにおいて１番目、６番目及び１１番目の副搬送波上にＡが位置し、６番目及び１１番目のＯＦＤＭシンボル位置のそれぞれにおいて２番目、７番目及び１２番目の副搬送波上にＢが位置する。
【０１５６】
第１のレイヤーのチャネルを推定するために、Ａで表示された３個の副搬送波にわたって直交カバー（１，１，１）をかけることができる。また、第２のレイヤーのチャネルを推定するために、Ａで表示された３個の副搬送波にわたって直交カバー（１，−１，１）をかけることができる。また、第３のレイヤーのチャネルを推定するために、Ｂで表示された３個の副搬送波にわたって直交カバー（１，１，１）をかけることができる。また、第４のレイヤーのチャネルを推定するために、Ｂで表示された３個の副搬送波にわたって直交カバー（１，−１，１）をかけることができる。すなわち、ＤＲＳシーケンスは、直交コードによって周波数領域カバリングされる。
【０１５７】
例えば、図１５（ｃ）の１番目、６番目及び１１番目の副搬送波上においてＡで表示されるＤＲＳ位置で、第１のレイヤーに対するシーケンス（Ｓ１（ｉ））に直交カバー（１，１，１）をかけて、Ｓ１（ｉ）、Ｓ１（ｉ）及びＳ１（ｉ）を転送することができ、第２のレイヤーに対するシーケンス（Ｓ２（ｉ））に直交カバー（１，−１，１）をかけて、Ｓ２（ｉ）、−Ｓ２（ｉ）及びＳ２（ｉ）を転送することができる。また、図１５（ｃ）の２番目、７番目及び１２番目の副搬送波上においてＢで表示されるＤＲＳ位置で、第３のレイヤーに対するシーケンス（Ｓ３（ｉ））に直交カバー（１，１，１）をかけて、Ｓ３（ｉ）、Ｓ３（ｉ）及びＳ３（ｉ）を転送することができ、第４のレイヤーに対するシーケンス（Ｓ４（ｉ））に直交カバー（１，−１，１）をかけて、Ｓ４（ｉ）、−Ｓ４（ｉ）及びＳ４（ｉ）を転送することができる。
【０１５８】
図１５（ａ）及び１５（ｂ）の場合について時間領域カバリングを中心に説明したが、同じＤＲＳパターンに対して、図１５（ｃ）で説明したような方式で周波数領域カバリングが適用されてもよい。すなわち、第１のレイヤーグループ及び第２のレイヤーグループはＴＤＭ方式で区別し、それぞれのレイヤーグループの２個のレイヤー間には３個の副搬送波上に長さ３の直交する２個のコードを用いて２個のレイヤーに対するＤＲＳを区別することができる。同様に、図１５（ｃ）に場合については周波数領域カバリングを中心に説明したが、同じＤＲＳパターンに対して、図１５（ａ）及び１５（ｂ）で説明したような方式で時間領域カバリングが適用されてもよい。すなわち、第１のレイヤーグループと第２のレイヤーグループとはＦＤＭ方式で区別し、それぞれのレイヤーグループの２個のレイヤー間には２個のＯＦＤＭシンボル上に長さ２の直交する２個のコードを用いて２個のレイヤーに対するＤＲＳを区別することができる。
【０１５９】
本発明について前述した内容は、主に、ランク４までの転送において、多重レイヤーを時間リソース、周波数リソース及び／またはコードリソースを用いて多重化することに相当する。
【０１６０】
ランク５乃至８の場合には、前述したランク２乃至４転送に関する様々な実施例の組み合わせによって多重レイヤーに対するＤＲＳを多重化することができる。すなわち、ランク５乃至８転送の場合は、ＤＲＳグループ＃０（例えば、Ａ及びＢで表示されるＤＲＳ位置）及びＤＲＳグループ＃１（例えば、Ｃ及びＤで表示されるＤＲＳ位置）を共に用いることができ、ＤＲＳグループ＃１（Ｃ及びＤ）にも、前述したＤＲＳグループ＃０（Ａ及びＢ）に関する本発明の様々な実施例が同一に適用されてもよい。そのため、以下では、前述した本発明についての説明と重複する内容は、明確な説明のために省略する。
【０１６１】
ランク５乃至８の場合には、ＤＲＳグループ＃０及び＃１において可能なかぎり均等な個数のレイヤーを区別できるようにする。
【０１６２】
ランク５転送の場合は、一つのＤＲＳグループを用いてＴＤＭ、ＦＤＭ及び／またはＣＤＭ方式で２個のレイヤーを区別でき、他のＤＲＳグループを用いてＴＤＭ、ＦＤＭ及び／またはＣＤＭ方式で３個のレイヤーを区別することができる。例えば、ＤＲＳグループ＃０（例、Ａ及びＢ）及び＃１（例、Ｃ及びＤ）は、互いに異なる時間リソース及び周波数リソースによって区別される。また、ＤＲＳグループ＃０（例、Ａ及びＢ）については、図１２の実施例と同様の方式で第１及び第２のレイヤーを区別し、ＤＲＳグループ＃１（例、Ｃ及びＤ）については図１３の実施例と同様の方式で第３、第４及び第５のレイヤーを区別することができる。
【０１６３】
ランク６転送の場合は、一つのＤＲＳグループを用いてＴＤＭ、ＦＤＭ及び／またはＣＤＭ方式で３個のレイヤーを区別でき、他のＤＲＳグループを用いてＴＤＭ、ＦＤＭ及び／またはＣＤＭ方式で３個のレイヤーを区別することができる。
【０１６４】
ランク７転送の場合は、一つのＤＲＳグループを用いてＴＤＭ、ＦＤＭ及び／またはＣＤＭ方式で３個のレイヤーを区別でき、他のＤＲＳグループを用いてＴＤＭ、ＦＤＭ及び／またはＣＤＭ方式で４個のレイヤーを区別することができる。
【０１６５】
ランク８転送の場合には、一つのＤＲＳグループを用いてＴＤＭ、ＦＤＭ及び／またはＣＤＭ方式で４個のレイヤーを区別でき、他のＤＲＳグループを用いてＴＤＭ、ＦＤＭ及び／またはＣＤＭ方式で４個のレイヤーを区別することができる。
【０１６６】
前述したように、一つのリソースブロック内で全体２４個のＲＥにＤＲＳを配置することができ、低いランク（例えば、ランク１及び２）では一部１２個のＲＥでＤＲＳを多重化して転送し、高いランク（例えば、ランク３乃至８）では２４個のＲＥを全部用いてＤＲＳを多重化して転送することができる。例えば、Ａ及びＢ位置にはレイヤー１、２、５及び６に対するＤＲＳを配置し、Ｃ及びＤ位置にはレイヤー３、４、７及び８に対するＤＲＳを配置することができる。
【０１６７】
図１６乃至図１８は、図６（ａ）に示すＤＲＳパターンの様々な変形例を示す図である。
【０１６８】
図１９乃至図２２は、図６（ｂ）に示すＤＲＳパターンの様々な変形例を示す図である。図２３乃至図２６は、図１９乃至図２２のＤＲＳパターンにおいて２番目のスロットのＤＲＳ位置を、ＤＲＳグループ間に取り替えた（ｓｗａｐｐｉｎｇ）変形例である。すなわち、２番目のスロットにおけるＡ及びＢの位置とＣ及びＤの位置を周波数上で互いに交換した変形例であり、これにより、チャネル推定性能を向上させることができる。一方、図２１の実施例（ｂ−１７）及び（ｂ−１８）、図２５の実施例（ｂ−１７−１）及び（ｂ−１８−１）は、拡張されたＣＰの場合におけるＤＲＳパターンを示している。
【０１６９】
図２７乃至図３０は、図６（ｃ）に示すＤＲＳパターンの様々な変形例を示す図である。
【０１７０】
図６乃至図１５で前述した本発明の特徴は、図１６乃至図３０の様々なＤＲＳパターンにも同一に適用することができる。特に、多重レイヤーに対するＤＲＳを、時間リソース、周波数リソース及び／またはコードリソースを用いて区別し多重化する本発明の様々な実施例は、図１６乃至図３０の様々なＤＲＳパターンに容易に適用することができる。また、前述したように、ランク８までのレイヤーに対するＤＲＳを多重化する方案も同様、図６のＤＲＳパターンの他、図１６乃至図３０の様々なＤＲＳパターンにも適用することができる。したがって、本発明の範囲は、このような様々なＤＲＳパターンに前述のようなＤＲＳ多重化方案が適用されるものも含む。
【０１７１】
図３１を参照して、本発明に係るＤＲＳパターンの多重化グループについて説明する。
【０１７２】
図３１（ａ）及び図３１（ｂ）はそれぞれ、タイプＡ及びタイプＢのＤＲＳ多重化グループ設定を示している。図３１（ａ）及び図３１（ｂ）において、転送ランクに基づくＤＲＳ多重化は、下記の表４の通りてある。
【０１７３】
【表４】
2013507033.tif 000007
ＤＲＳパターンを２個のグループに分けることができる。例えば、表１で説明したように、一つのグループはＡ及びＢ、他のグループはＣ及びＤとする、一つのグループはＡ及びＣ、他のグループはＢ及びＤとする、または、一つのグループはＡ及びＤ、他のグループはＢ及びＣとすることができる。以下の説明では、一つのグループはＡ及びＢで、他のグループはＣ及びＤである場合を上げて説明する。
【０１７４】
ランク１及び２の場合に、ＤＲＳパターンの一グループのみを用いることができる。例えば、ＤＲＳ転送のために、Ａ及びＢ（またはＣ及びＤ）からなるパターンのみを用いることができる。
【０１７５】
ランク１の場合に、レイヤー１に対するＤＲＳは、Ａ及びＢ（またはＣ及びＤ）で表示されるＲＥに配置することができる。ランク２の場合に、レイヤー１及び２に対するＤＲＳは、Ａ及びＢ（またはＣ及びＤ）で表示されるＲＥに配置することができる。ここで、レイヤー１及び２に対するＤＲＳをＣＤＭ方式で多重化することができる。
【０１７６】
ランク３及び４の場合に、ＤＲＳパターンの２グループを共に用いることができる。
【０１７７】
ランク３の場合に、ＤＲＳパターンの一つのグループ（例えば、Ａ及びＢ）にレイヤー１及び２に対するＤＲＳを配置することができ、他のグループ（例えば、Ｃ及びＤ）にレイヤー３に対するＤＲＳを配置することができる。ここで、レイヤー１及び２に対するＤＲＳをＣＤＭ方式で多重化することができる。
【０１７８】
ランク４の場合に、ＤＲＳパターンの一つのグループ（例えば、Ａ及びＢ）にレイヤー１及び２に対するＤＲＳを配置することができ、他のグループ（例えば、Ｃ及びＤ）にレイヤー３及び４に対するＤＲＳを配置することができる。ここで、レイヤー１及び２に対するＤＲＳはＣＤＭ方式で多重化でき、レイヤー３及び４に対するＤＲＳもＣＤＭ方式で多重化することができる。
【０１７９】
一方、ランク５乃至８の場合に、前述したＤＲＳパターンのグループ（一つのグループはＡ及びＢ、他のグループはＣ及びＤ）と異なる方式のＤＲＳパターングループを用いる。これを、ＤＲＳパターンの上位グループと表現する。
タイプＡ（図３１（ａ））の場合には、同じ周波数上に位置しているＡ、Ｂ、Ｃ及びＤをまとめてグループと定義することができ（すなわち、６個のグループが存在する）、これらグループをまとめて２個の上位グループを定義することができる。例えば、第１の上位グループは、Ａ、Ｂ、Ｃ及びＤ形態のグループで構成し、第２の上位グループは、Ｃ、Ｄ、Ａ及びＢ形態のグループで構成することができる。上位グループの構成は、これに制限されず、他の方式の上位グループの構成も可能である。それぞれの上位グループにおいて２以上のレイヤーに対するＤＲＳはＣＤＭ方式で多重化して転送することができる。第１の上位グループと第２の上位グループで転送されるＤＲＳはＦＤＭ方式で区別することができる。
【０１８０】
タイプＢ（図３１（ｂ））の場合には、隣接するシンボル／周波数に位置しているＡ、Ｂ、Ｃ及びＤをまとめてグループと定義することができ（すなわち、６個のグループが存在する）、２個の上位グループを定義することができる。例えば、第１の上位グループは、高い周波数に位置している３個のグループで構成し、第２の上位グループは、低い周波数に位置している３個のグループで構成することができる。または、第１の上位グループは、第１のスロットに位置している３個のグループで構成し、第２の上位グループは第２のスロットに位置している３個のグループで構成してもよい。または、第１の上位グループは第１のスロットに位置している２個のグループ及び第２のスロットに位置している一つのグループで構成し、第２の上位グループは第１のスロットに位置している一つのグループ及び第２のスロットに位置している２個のグループで構成してもよい。上位グループの構成は、これに制限されず、他の方式の上位グループの構成も可能である。それぞれの上位グループは、隣接するＯＦＤＭシンボル及び副搬送波上に位置しているＲＥを含み、これらのＲＥを用いて２以上のレイヤーに対するＤＲＳをＣＤＭ方式で多重化して転送することができる。
【０１８１】
上記のように上位グループが構成される場合において、タイプＡ及びタイプＢのＤＲＳ多重化方式に対するランク５乃至８の場合におけるＤＲＳ多重化方式について説明する。
【０１８２】
ランク５の場合に、第１の上位グループに２個のレイヤーに対するＤＲＳをＣＤＭ方式で多重化して配置し、第２の上位グループに３個のレイヤーに対するＤＲＳをＣＤＭ方式で多重化して配置することができる。または、第１の上位グループに３個のレイヤーに対するＤＲＳをＣＤＭ方式で多重化して配置し、第２の上位グループに２個のレイヤーに対するＤＲＳをＣＤＭ方式で多重化して配置することができる。
【０１８３】
ランク６の場合に、第１の上位グループに３個のレイヤーに対するＤＲＳをＣＤＭ方式で多重化して配置し、第２の上位グループに３個のレイヤーに対するＤＲＳをＣＤＭ方式で多重化して配置することができる。
【０１８４】
ランク７の場合に、第１の上位グループに３個のレイヤーに対するＤＲＳをＣＤＭ方式で多重化して配置し、第２の上位グループに４個のレイヤーに対するＤＲＳをＣＤＭ方式で多重化して配置することができる。または、第１の上位グループに４個のレイヤーに対するＤＲＳをＣＤＭ方式で多重化して配置し、第２の上位グループに３個のレイヤーに対するＤＲＳをＣＤＭ方式で多重化して配置することができる。
【０１８５】
ランク６の場合に、第１の上位グループに４個のレイヤーに対するＤＲＳをＣＤＭ方式で多重化して配置し、第２の上位グループに４個のレイヤーに対するＤＲＳをＣＤＭ方式で多重化して配置することができる。
【０１８６】
一方、あるレイヤーに対するＤＲＳがＦＤＭ方式で転送される時に、周波数で分離されたＤＲＳは同じシーケンスを用いることができる。例えば、第１及び第２のレイヤーに対するＤＲＳがＡ及びＢ位置で転送され、第３及び第４のレイヤーに対するＤＲＳがＣ及びＤ位置で転送される時に、第１及び第２のレイヤーに対するＤＲＳのシーケンスを、第３及び第４のレイヤーに対するＤＲＳシーケンスとしてそのまま用いることができる。同様に、ＲＥ上で転送される２個以上のレイヤーに対するＤＲＳのシーケンスは、同じシーケンスを用いてＣＤＭ方式で多重化されてもよく、互いに異なるシーケンスが用いてもよい。
【０１８７】
図３２乃至図５８には、拡張されたＣＰの場合における、本発明に係るＤＲＳパターンの様々な実施例を示す。
【０１８８】
図３２（ａ）は、本発明に係るＤＲＳパターンの他の実施例（実施例（ｄ））を示している。図３２（ａ）の基本的なＤＲＳパターンに基づいて、図３２（ｂ）乃至図３２（ｅ）のように、様々な方式のＤＲＳパターングループを定義することができる。図３２（ｂ）及び図３２（ｃ）は、ＤＲＳグループのいずれか一方がＡ及びＣで構成され、他方がＢ及びＤで構成される例を示している。この場合、一つのＤＲＳグループ内で複数個のレイヤーに対するＤＲＳをＣＤＭ−Ｆ方式（同じＯＦＤＭシンボル上で互いに異なる副搬送波位置にわたって直交コードが適用されるＣＤＭ方式）で多重化することができる。図３２（ｄ）及び３２（ｅ）は、ＤＲＳグループのいずれか一方がＡ及びＢで構成され、他方がＣ及びＤで構成される例を示している。この場合、一つのＤＲＳグループ内で複数個のレイヤーに対するＤＲＳをＣＤＭ−Ｔ方式（同じ副搬送波上で互いに異なるＯＦＤＭシンボル位置にわたって直交コードが適用されるＣＤＭ方式）で多重化することができる。
【０１８９】
図３３乃至図３５は、図３２（ｂ）のＤＲＳグループのリソースブロック上の位置の様々な変形例を示している。図３３乃至図３５の変形例は、時間（ＯＦＤＭシンボル）上で位置を異ならせることから、時間−シフト（Ｔ−ｓｈｉｆｔ）されるとも表現することができる。図３２（ｃ）乃至図３２（ｅ）のＤＲＳグループも、図３３乃至図３５の変形例と類似の方式で時間−シフト可能である。
【０１９０】
図３６乃至図３８は、本発明に係るＤＲＳパターンの他の実施例（実施例（ｅ））を示している。図３６の実施例（ｅ−１）を基本的なＤＲＳパターンとすれば、実施例（ｅ−２）乃至実施例（ｅ−１５）は、基本的なＤＲＳパターンの時間−シフトされた変形例に相当する。
【０１９１】
図３９乃至図４２は、本発明に係るＤＲＳパターンの他の実施例（実施例（ｆ））を示している。図３９（ａ）の基本的なＤＲＳパターンに基づいて、図３９（ｂ）乃至図３９（ｅ）のように、様々な方式のＤＲＳパターングループを定義することができる。図３９（ｂ）及び図３９（ｃ）は、ＤＲＳグループのいずれか一方がＡ及びＣで構成され、他方がＢ及びＤで構成される例を示している。この場合に、一つのＤＲＳグループ内で複数個のレイヤーに対するＤＲＳはＣＤＭ−Ｆ方式で多重化することができる。図３９（ｄ）及び図３９（ｅ）は、ＤＲＳグループのいずれか一方がＡ及びＢで構成され、他方がＣ及びＤで構成される例を示している。この場合に、一つのＤＲＳグループ内で複数個のレイヤーに対するＤＲＳをＣＤＭ−Ｔ方式で多重化することができる。図４０乃至図４２は、図３９（ｂ）のＤＲＳグループのリソースブロック上の位置の時間−シフトされた様々な変形例を示している。図３９（ｃ）乃至図３９（ｅ）のＤＲＳグループも、図４０乃至図４２の変形例と類似の方式で時間−シフト可能である。
【０１９２】
図４３乃至図４５は、本発明に係るＤＲＳパターンの他の実施例（実施例（ｇ））を示している。図４３の実施例（ｇ−１）を基本的なＤＲＳパターンとすれば、実施例（ｇ−２）乃至実施例（ｇ−１５）は、基本的なＤＲＳパターンの時間−シフトされた変形例に相当する。
【０１９３】
図４６乃至図４９は、本発明に係るＤＲＳパターンの他の実施例（実施例（ｈ））を示している。図４６（ａ）の基本的なＤＲＳパターンに基づいて、図４６（ｂ）乃至図４６（ｅ）のように、様々な方式のＤＲＳパターングループを定義することができる。図４６（ｂ）及び図４６（ｃ）は、ＤＲＳグループのいずれか一方がＡ及びＣで構成され、他方がＢ及びＤで構成される例を示している。この場合に、一つのＤＲＳグループ内で複数個のレイヤーに対するＤＲＳをＣＤＭ−Ｆ方式で多重化することができる。図４６（ｄ）及び図４６（ｅ）は、ＤＲＳグループのいずれか一方がＡ及びＢで構成され、他方がＣ及びＤで構成される例を示している。この場合に、一つのＤＲＳグループ内で複数個のレイヤーに対するＤＲＳをＣＤＭ−Ｔ方式で多重化することができる。図４７乃至図４９は、図４６（ｂ）のＤＲＳグループのリソースブロック上の位置の時間−シフトされた様々な変形例を示している。図４６（ｃ）乃至図４６（ｅ）のＤＲＳグループも、図４７乃至図４９の変形例と類似の方式で時間−シフト可能である。
【０１９４】
図５０乃至図５３は、本発明に係るＤＲＳパターンの他の実施例（実施例（ｉ））を示している。図５０（ａ）のＤＲＳパターンは、図４６（ａ）のＤＲＳパターンが１副搬送波だけ周波数−シフト（ｆｒｅｑｕｅｎｃｙ−ｓｈｉｆｔ）または縦方向シフト（ｖ−ｓｈｉｆｔ）されたものと表現することができる。図５０（ａ）の基本的なＤＲＳパターンに基づいて、図５０（ｂ）乃至図５０（ｅ）のように、様々な方式のＤＲＳパターングループを定義することができる。図５０（ｂ）及び図５０（ｃ）は、ＤＲＳグループのいずれか一方がＡ及びＣで構成され、他方がＢ及びＤで構成される例を示している。この場合に、一つのＤＲＳグループ内で複数個のレイヤーに対するＤＲＳをＣＤＭ−Ｆ方式で多重化することができる。図５０（ｄ）及び図５０（ｅ）は、ＤＲＳグループのいずれか一方がＡ及びＢで構成され、他方がＣ及びＤで構成される例を示している。この場合に、一つのＤＲＳグループ内で複数個のレイヤーに対するＤＲＳをＣＤＭ−Ｔ方式で多重化することができる。図５１乃至図５３は、図５０（ｂ）のＤＲＳグループのリソースブロック上の位置の時間−シフトされた様々な変形例を示している。図５０（ｃ）乃至図５０（ｅ）のＤＲＳグループも、図５１乃至図５３の変形例と類似の方式で時間−シフト可能である。
【０１９５】
図５４乃至５６は、本発明に係るＤＲＳパターンの他の実施例（実施例（ｊ））を示している。図５４の実施例（ｊ−１）を基本的なＤＲＳパターンとすれば、実施例（ｊ−２）乃至実施例（ｊ−１５）は、基本的なＤＲＳパターンの時間−シフトされた変形例に相当する。
【０１９６】
図５７は、本発明に係るＤＲＳパターンの他の実施例（実施例（ｋ））を示している。図５７（ａ）のＤＲＳパターンは、図５６の実施例（ｊ−１３）のＤＲＳパターンと同一である。図５７（ａ）の基本的なＤＲＳパターンに基づいて、図５７（ｂ）乃至図５７（ｅ）のように、様々な方式のＤＲＳパターングループを定義することができる。図５７（ｂ）及び図５７（ｃ）は、ＤＲＳグループのいずれか一方がＡ及びＣで構成され、他方がＢ及びＤで構成される例を示している。この場合に、一つのＤＲＳグループ内で複数個のレイヤーに対するＤＲＳをＣＤＭ−Ｆ方式で多重化することができる。図５７（ｄ）及び図５７（ｅ）は、ＤＲＳグループのいずれか一方がＡ及びＢで構成され、他方がＣ及びＤで構成される例を示している。この場合に、一つのＤＲＳグループ内で複数個のレイヤーに対するＤＲＳをＣＤＭ−Ｔ方式で多重化することができる。図５７のＤＲＳパターンに対して、前述した他の実施例と同様に、ダウンリンク転送に用いることができないＯＦＤＭシンボルを考慮して、時間−シフトされた様々な変形例が用いられてもよい。
【０１９７】
図５８は、本発明に係るＤＲＳパターンの他の実施例（実施例（ｌ））を示している。図５８（ａ）のＤＲＳパターンは、図５７（ａ）のＤＲＳパターンが１副搬送波だけ周波数−シフトされたものと表現することができる。図５８（ａ）の基本的なＤＲＳパターンに基づいて、図５８（ｂ）乃至図５８（ｅ）のように、様々な方式のＤＲＳパターングループを定義することができる。図５８（ｂ）及び図５８（ｃ）は、ＤＲＳグループのいずれか一方がＡ及びＣで構成され、他方がＢ及びＤで構成される例を示している。この場合に、一つのＤＲＳグループ内で複数個のレイヤーに対するＤＲＳをＣＤＭ−Ｆ方式で多重化することができる。図５８（ｄ）及び図５８（ｅ）は、ＤＲＳグループのいずれか一方がＡ及びＢで構成され、他方がＣ及びＤで構成される例を示している。この場合に、一つのＤＲＳグループ内で複数個のレイヤーに対するＤＲＳをＣＤＭ−Ｔ方式で多重化することができる。図５８のＤＲＳパターンに対して、前述した他の実施例と同様に、ダウンリンク転送に用いることができないＯＦＤＭシンボルを考慮して、時間−シフトされた様々な変形例が用いられてもよい。
【０１９８】
前述した様々なＤＲＳパターンにおいて、ダウンリンクサブフレームの最後の１乃至３シンボル（拡張されたＣＰの場合に１０番目乃至１２番目のＯＦＤＭシンボル）に位置しているＤＲＳは、場合によってパンクチャリングされてもよい。これは、ダウンリンクサブフレームの最後の１乃至３シンボルがダウンリンク転送のために用いられない場合に適用することができる。例えば、中継機のバックホールダウンリンク（基地局から中継機へのダウンリンク）サブフレームには、送受信切替のためのガード時間を設定することができ、この場合に、該当のＯＦＤＭシンボル上に配置されたＤＲＳはパンクチャリングされてもよい。または、ダウンリンクサブフレームにＤＲＳを配置できないＯＦＤＭシンボルが存在する場合には、該当のＯＦＤＭシンボル位置以外の残りデータ領域上にＤＲＳが配置されるパターン、すなわち、前述した様々な時間−シフトされたＤＲＳパターンが用いられてもよい。
【０１９９】
図５９は、本発明に係る基地局装置及び端末装置を含む無線通信システムの好適な実施例の構成を示す図である。
【０２００】
基地局装置（ｅＮＢ）５９１０は、受信モジュール５９１１、転送モジュール５９１２、プロセッサー５９１３、メモリー５９１４及びアンテナ５９１５を含むことができる。受信モジュール５９１１は、各種信号、データ、情報などを端末などから受信することができる。転送モジュール５９１２は、各種信号、データ、情報などを端末などに転送することができる。プロセッサ５９１３は、受信モジュール５９１１、転送モジュール５９１２、メモリー５９１４及びアンテナ５９１５を含む基地局装置５９１０の動作全般を制御するように構成することができる。アンテナ５９１５は、複数個のアンテナで構成することができる。
【０２０１】
プロセッサ５９１３は、転送モジュール５９１２を介して、ダウンリンクサブフレームのデータ領域上で参照信号パターンに基づいて複数個のレイヤーに対する参照信号を多重化して転送し、ダウンリンクサブフレームのデータ領域上で複数個のレイヤーに対するデータを転送するように構成することができる。
【０２０２】
プロセッサ５９１３は、その他にも、端末装置に受信された情報、外部に転送する情報などを演算処理する機能を担い、メモリー５９１４は、演算処理された情報などを所定時間記憶することができ、バッファー（図示せず）などの構成要素に取り替えてもよい。
【０２０３】
一方、端末装置（ＵＥ）５９２０は、受信モジュール５９２１、転送モジュール５９２２、プロセッサ５９２３及びメモリー５９２４を含むことができる。受信モジュール５９２１は、各種信号、データ、情報などを基地局などから受信することができる。転送モジュール５９２２は、各種信号、データ、情報などを基地局などに転送することができる。プロセッサ５９２３は、受信モジュール５９２１、転送モジュール５９２２、メモリー５９２４及びアンテナ５９２５を含む端末装置５９２０の動作全般を制御するように構成することができる。アンテナ５９２５は、複数個のアンテナで構成することができる。
【０２０４】
プロセッサ５９２３は、受信モジュール５９２１を介して、ダウンリンクサブフレームのデータ領域上で参照信号パターンに基づいて多重化された複数個のレイヤーに対する参照信号を受信し、ダウンリンクサブフレームのデータ領域上で複数個のレイヤーに対するデータを受信し、複数個のレイヤーに対する参照信号を用いて複数個のレイヤーに対するデータを復調するように構成することができる。
【０２０５】
プロセッサ５９２３は、その他にも、端末装置に受信された情報、外部に転送する情報などを演算処理する機能を担い、メモリー５９２４は、演算処理された情報などを所定時間記憶することができ、バッファー（図示せず）などの構成要素に取り替えてもよい。
【０２０６】
基地局装置５９１０で参照信号を転送し、端末装置５９２０でこれを受信するにあたり、共通して適用される事項について説明する。
【０２０７】
複数個のレイヤーに対する参照信号は、端末が複数個のレイヤーに対するデータを復調するために用いるＤＲＳである。また、参照信号の多重化は、参照信号のパターンに含まれる２４個のリソース要素位置を６個のグループに設定し、６個のグループを２個の上位グループに設定し、２個の上位グループに当該複数個のレイヤーに対する参照信号を可能な限り均等に配分し、同じグループに配置される２以上のレイヤーに対する参照信号はＣＤＭ方式で多重化されることを含むことができる。
【０２０８】
レイヤーの個数が２の場合に、２個のレイヤーに対する参照信号は一つの上位グループにのみ配置することができる。レイヤーの個数が３、５または７の場合に、複数個のレイヤーに対する参照信号は、一つの上位グループに、他の上位グループに比べて一つのレイヤーに対する参照信号をさらに配置することができる。すなわち、ランク３の場合に、２個の上位グループにそれぞれ１個及び２個のレイヤーに対するＤＲＳを配置し、ランク５の場合に、２個の上位グループにそれぞれ２個及び３個のレイヤーに対するＤＲＳを配置し、ランク７の場合に、２個の上位グループにそれぞれ３個及び４個のレイヤーに対するＤＲＳを配置することができる。
【０２０９】
レイヤーの個数が４、６または８の場合に、複数個のレイヤーに対する参照信号は、２個の上位グループに同じ個数のレイヤーに対する参照信号を配置することができる。すなわち、ランク４の場合に、２個の上位グループにそれぞれ２個のレイヤーに対するＤＲＳを配置し、ランク６の場合に、２個の上位グループにそれぞれ３個のレイヤーに対するＤＲＳを配置し、ランク８の場合に、２個の上位グループにそれぞれ４個のレイヤーに対するＤＲＳを配置することができる。
【０２１０】
また、参照信号のＣＤＭは、同じ周波数リソース上で互いに異なる時間リソースにわたって直交コードがかけられる方式（ＣＤＭ−Ｔ）、同じ時間リソース上で互いに異なる周波数リソースにわたって直交コードがかけられる方式（ＣＤＭ−Ｆ）の一つ以上を用いることができる。
【０２１１】
上記の本発明の実施例は、様々な手段により具現することができる。例えば、本発明の実施例は、ハードウェア、ファームウェア（ｆｉｒｍｗａｒｅ）、ソフトウェアまたはそれらの結合などにより具現することができる。
【０２１２】
ハードウェアによる具現の場合、本発明の実施例に係る方法は、一つまたはそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどにより具現することができる。
【０２１３】
ファームウェアやソフトウェアによる具現の場合、本発明の実施例に係る方法は、以上で説明された機能または動作を行うモジュール、手順または関数などの形態とすることができる。ソフトウェアコードはメモリーユニットに記憶し、プロセッサで駆動することができる。メモリーユニットは、プロセッサの内部または外部に設けられて、既に公知の様々な手段によりプロセッサとデータを授受することができる。
【０２１４】
以上開示された本発明の好ましい実施例についての詳細な説明は、当業者が本発明を具現して実施できるように提供された。以上では本発明の好適な実施例を参照して説明したが、当該技術の分野における熟練した当業者には、本発明の領域から逸脱しない範囲内で本発明を様々に修正及び変更できるということが理解されるであろう。例えば、当業者は、上記の実施例に記載された各構成を互いに組み合わせる方式で用いることができる。したがって、本発明は、ここに開示されている実施形態に制限されるものではなく、ここに開示されている原理及び新規な特徴と一致する最も広い範囲を与えるためのものである。
【０２１５】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。本発明は、ここに開示されている実施形態に制限されるものではなく、ここに開示されている原理及び新規な特徴と一致する最も広い範囲を有するものである。また、特許請求の範囲で明示的な引用関係を有しない請求項を結合して実施例を構成したり、出願後の補正により新しい請求項として含めることができる。
【産業上の利用可能性】
【０２１６】
上記の実施形態は、３ＧＰＰ  ＬＴＥ系列システムを中心にして説明したが、これに限定されず、ＭＩＭＯ技術の適用されている様々な移動通信システムにおいてダウンリンク参照信号転送方法を行う際に同一の方式で用いることができる。
【図５】
2013507033.tif 000008
【図１】
2013507033.tif 000009
【図２】
2013507033.tif 000010
【図３】
2013507033.tif 000011
【図４】
2013507033.tif 000012
【図６】
2013507033.tif 000013
【図７】
2013507033.tif 000014
【図８】
2013507033.tif 000015
【図９】
2013507033.tif 000016
【図１０】
2013507033.tif 000017
【図１１】
2013507033.tif 000018
【図１２】
2013507033.tif 000019
【図１３】
2013507033.tif 000020
【図１４】
2013507033.tif 000021
【図１５】
2013507033.tif 000022
【図１６】
2013507033.tif 000023
【図１７】
2013507033.tif 000024
【図１８】
2013507033.tif 000025
【図１９】
2013507033.tif 000026
【図２０】
2013507033.tif 000027
【図２１】
2013507033.tif 000028
【図２２】
2013507033.tif 000029
【図２３】
2013507033.tif 000030
【図２４】
2013507033.tif 000031
【図２５】
2013507033.tif 000032
【図２６】
2013507033.tif 000033
【図２７】
2013507033.tif 000034
【図２８】
2013507033.tif 000035
【図２９】
2013507033.tif 000036
【図３０】
2013507033.tif 000037
【図３１】
2013507033.tif 000038
【図３２】
2013507033.tif 000039
【図３３】
2013507033.tif 000040
【図３４】
2013507033.tif 000041
【図３５】
2013507033.tif 000042
【図３６】
2013507033.tif 000043
【図３７】
2013507033.tif 000044
【図３８】
2013507033.tif 000045
【図３９】
2013507033.tif 000046
【図４０】
2013507033.tif 000047
【図４１】
2013507033.tif 000048
【図４２】
2013507033.tif 000049
【図４３】
2013507033.tif 000050
【図４４】
2013507033.tif 000051
【図４５】
2013507033.tif 000052
【図４６】
2013507033.tif 000053
【図４７】
2013507033.tif 000054
【図４８】
2013507033.tif 000055
【図４９】
2013507033.tif 000056
【図５０】
2013507033.tif 000057
【図５１】
2013507033.tif 000058
【図５２】
2013507033.tif 000059
【図５３】
2013507033.tif 000060
【図５４】
2013507033.tif 000061
【図５５】
2013507033.tif 000062
【図５６】
2013507033.tif 000063
【図５７】
2013507033.tif 000064
【図５８】
2013507033.tif 000065
【図５９】
2013507033.tif 000066
【手続補正書】
【提出日】平成24年4月3日(2012.4.3)
【手続補正１】
【補正対象書類名】特許請求の範囲
【補正対象項目名】全文
【補正方法】変更
【補正の内容】
【特許請求の範囲】
【請求項１】
複数個のレイヤーを用いて基地局においてダウンリンク信号を転送する方法であって、前記方法は、
ダウンリンクサブフレームのデータ領域内の参照信号パターンに基づいて前記複数個のレイヤーに対する参照信号を多重化して転送することと、
前記ダウンリンクサブフレームの前記データ領域内の、前記複数個のレイヤーに対するデータを転送することと
を含み、
前記複数個のレイヤーに対する前記参照信号は、受信端が前記複数個のレイヤーに対する前記データを復調するときに用いられる専用参照信号であり、
前記参照信号パターンは、複数個のリソース要素として規定され、前記参照信号は、前記複数個のリソース要素に対してマッピングされ、前記複数個のリソース要素は、６個のサブグループにグループ化され、前記６個のサブグループが、２個のグループに分類され、コード分割多重化が、同一のサブグループ上に配置される２個以上のレイヤーに対する前記参照信号に適用される、方法。
【請求項２】
前記レイヤーの個数が２である場合に、２個のレイヤーに対する参照信号は、一つのグループ上にのみ配置される、請求項１に記載の方法。
【請求項３】
前記レイヤーの個数が３、５または７である場合に、参照信号が一つのグループ上に配置されるレイヤーの個数は、参照信号が別のグループ上に配置されるレイヤーの個数より１つだけ多い、請求項１に記載の方法。
【請求項４】
前記レイヤーの個数が４、６または８である場合に、同一の個数のレイヤーに対する参照信号が、２個のグループ上に配置される、請求項１に記載の方法。
【請求項５】
前記参照信号の前記コード分割多重化は、同一の周波数リソース上に異なる時間リソースにわたって直交コードを乗算する方式、または同一の時間リソース上に異なる周波数リソースにわたって直交コードを多重化する方式を用いる、請求項１に記載の方法。
【請求項６】
複数個のレイヤーを用いてユーザー機器においてダウンリンク信号を受信する方法であって、前記方法は、
ダウンリンクサブフレームのデータ領域内の参照信号パターンに基づいて多重化された前記複数個のレイヤーに対する参照信号を受信することと、
前記ダウンリンクサブフレームの前記データ領域内の、前記複数個のレイヤーに対するデータを受信することと、
前記複数個のレイヤーに対する前記参照信号を用いて前記複数個のレイヤーに対する前記データを復調することと
を含み、
前記複数個のレイヤーに対する前記参照信号は、専用参照信号であり、
前記参照信号パターンは、複数個のリソース要素として規定され、前記参照信号は、前記複数個のリソース要素に対してマッピングされ、前記複数個のリソース要素は、６個のサブグループにグループ化され、前記６個のサブグループが、２個のグループに分類され、コード分割多重化が、同一のサブグループ上に配置される２個以上のレイヤーに対する前記参照信号に適用される、方法。
【請求項７】
前記レイヤーの個数が２である場合に、２個のレイヤーに対する参照信号は、一つのグループ上にのみ配置される、請求項６に記載の方法。
【請求項８】
前記レイヤーの個数が３、５または７である場合に、参照信号が一つのグループ上に配置されるレイヤーの個数は、参照信号が別のグループ上に配置されるレイヤーの個数より１つだけ多い、請求項６に記載の方法。
【請求項９】
前記レイヤーの個数が４、６または８である場合に、同一の個数のレイヤーに対する参照信号が、２個のグループ上に配置される、請求項６に記載の方法。
【請求項１０】
前記参照信号の前記コード分割多重化は、同一の周波数リソース上に異なる時間リソースにわたって直交コードを乗算する方式、または同一の時間リソース上に異なる周波数リソースにわたって直交コードを多重化する方式を用いる、請求項６に記載の方法。
【請求項１１】
複数個のレイヤーを用いてダウンリンク信号を転送する基地局であって、前記基地局は、
複数個のアンテナと、
前記複数個のアンテナを介してユーザー機器から信号を受信するように構成されている受信モジュールと、
前記複数個のアンテナを介して前記ユーザー機器に信号を転送するように構成されている転送モジュールと、
前記複数個のアンテナと、前記受信モジュールと、前記転送モジュールとを含む前記基地局を制御するように構成されているプロセッサと
を含み、
前記プロセッサは、
前記転送モジュールを介して、ダウンリンクサブフレームのデータ領域内の参照信号パターンに基づいて前記複数個のレイヤーに対する参照信号を多重化して転送することと、
前記転送モジュールを介して、前記ダウンリンクサブフレームの前記データ領域内の、前記複数個のレイヤーに対するデータを転送することと
を行うように構成されており、
前記複数個のレイヤーに対する前記参照信号は、前記ユーザー機器が前記複数個のレイヤーに対する前記データを復調するときに用いられる専用参照信号であり、
前記参照信号パターンは、複数個のリソース要素として規定され、前記参照信号は、前記複数個のリソース要素に対してマッピングされ、前記複数個のリソース要素は、６個のサブグループにグループ化され、前記６個のサブグループが、２個のグループに分類され、コード分割多重化が、同一のサブグループ上に配置される２個以上のレイヤーに対する前記参照信号に適用される、基地局。
【請求項１２】
複数個のレイヤーを用いてダウンリンク信号を受信するユーザー機器であって、前記ユーザー機器は、
複数個のアンテナと、
前記複数個のアンテナを介して基地局から信号を受信するように構成されている受信モジュールと、
前記複数個のアンテナを介して前記基地局に信号を転送するように構成されている転送モジュールと、
前記複数個のアンテナと、前記受信モジュールと、前記転送モジュールとを含む前記ユーザー機器を制御するように構成されているプロセッサと
を含み、
前記プロセッサは、
前記受信モジュールを介して、ダウンリンクサブフレームのデータ領域内の参照信号パターンに基づいて多重化された前記複数個のレイヤーに対する参照信号を受信することと、
前記受信モジュールを介して、前記ダウンリンクサブフレームの前記データ領域内の前記複数個のレイヤーに対するデータを受信することと、
前記複数個のレイヤーに対する前記参照信号を用いて前記複数個のレイヤーに対する前記データを復調することと
を行うように構成されており、
前記複数個のレイヤーに対する前記参照信号は、専用参照信号であり、
前記参照信号パターンは、複数個のリソース要素として規定され、前記参照信号は、前記複数個のリソース要素に対してマッピングされ、前記複数個のリソース要素は、６個のサブグループにグループ化され、前記６個のサブグループが、２個のグループに分類され、コード分割多重化が、同一のサブグループ上に配置される２個以上のレイヤーに対する前記参照信号に適用される、ユーザー機器。
【請求項１３】
前記参照信号がマッピングされている前記複数個のリソース要素の個数は、２４である、請求項１に記載の方法。
【請求項１４】
前記参照信号がマッピングされている前記複数個のリソース要素の個数は、２４である、請求項６に記載の方法。
【手続補正２】
【補正対象書類名】明細書
【補正対象項目名】００２０
【補正方法】変更
【補正の内容】
【００２０】
上記の技術的課題を解決するために、本発明のさらに他の実施例に係る複数個のレイヤーを用いてダウンリンク信号を受信する端末は、複数個のアンテナと、前記複数個のアンテナを通して基地局から信号を受信する受信モジュールと、前記複数個のアンテナを通して前記基地局に信号を転送する転送モジュールと、前記複数個のアンテナ、前記受信モジュール及び前記転送モジュールを含む前記端末を制御するプロセッサと、を含み、前記プロセッサは、前記受信モジュールを介して、ダウンリンクサブフレームのデータ領域上で参照信号パターンに基づいて多重化された前記複数個のレイヤーに対する参照信号を受信し、前記受信モジュールを介して、前記ダウンリンクサブフレームのデータ領域上で前記複数個のレイヤーに対するデータを受信し、前記複数個のレイヤーに対する参照信号を用いて前記複数個のレイヤーに対するデータを復調するように構成され、前記複数個のレイヤーに対する参照信号は、専用参照信号（Ｄｅｄｉｃａｔｅｄ  Ｒｅｆｅｒｅｎｃｅ  Ｓｉｇｎａｌ）であり、前記参照信号の多重化は、前記参照信号のパターンに含まれる２４個のリソース要素位置を６個のグループに設定し、前記６個のグループを２個の上位グループに設定し、前記２個の上位グループに前記複数個のレイヤーに対する参照信号を配分し、同じグループに配置される２以上のレイヤーに対する参照信号はコード分割多重化（Ｃｏｄｅ  Ｄｉｖｉｓｉｏｎ  Ｍｕｌｔｉｐｌｅｘｉｎｇ）されることを含むことができる。
本発明は、例えば以下の項目を提供する。
（項目１）
複数個のレイヤーを用いて基地局がダウンリンク信号を転送する方法であって、
ダウンリンクサブフレームのデータ領域上で参照信号パターンに基づいて前記複数個のレイヤーに対する参照信号を多重化して転送し、
前記ダウンリンクサブフレームのデータ領域上で前記複数個のレイヤーに対するデータを転送すること、を含み、
前記複数個のレイヤーに対する参照信号は、受信端で前記複数個のレイヤーに対するデータを復調するために用いられる専用参照信号（Ｄｅｄｉｃａｔｅｄ  Ｒｅｆｅｒｅｎｃｅ  Ｓｉｇｎａｌ）であり、
前記参照信号の多重化は、前記参照信号のパターンに含まれる２４個のリソース要素位置を６個のグループに設定し、前記６個のグループを２個の上位グループに設定し、前記２個の上位グループに前記複数個のレイヤーに対する参照信号を配分し、同じグループに配置される２以上のレイヤーに対する参照信号は、コード分割多重化（Ｃｏｄｅ  Ｄｉｖｉｓｉｏｎ  Ｍｕｌｔｉｐｌｅｘｉｎｇ）されることを含む、ダウンリンク信号転送方法。
（項目２）
前記レイヤーの個数が２の場合に、２個のレイヤーに対する参照信号は一つの上位グループにのみ配置される、項目１に記載のダウンリンク信号転送方法。
（項目３）
前記レイヤーの個数が３、５または７の場合に、前記複数個のレイヤーに対する参照信号は、一つの上位グループに、他の上位グループに比べて一つのレイヤーに対する参照信号がさらに配置される、項目１に記載のダウンリンク信号転送方法。
（項目４）
前記レイヤーの個数が４、６または８の場合に、前記複数個のレイヤーに対する参照信号は、前記２個の上位グループに同じ個数のレイヤーに対する参照信号が配置される、項目１に記載のダウンリンク信号転送方法。
（項目５）
前記参照信号のコード分割多重化は、
同じ周波数リソース上で互いに異なる時間リソースにわたって直交コードがかけられる方式、及び同じ時間リソース上で互いに異なる周波数リソースにわたって直交コードがかけられる方式の１以上の方式を用いる、項目１に記載のダウンリンク信号転送方法。
（項目６）
複数個のレイヤーを用いて端末がダウンリンク信号を受信する方法であって、
ダウンリンクサブフレームのデータ領域上で参照信号パターンに基づいて多重化された前記複数個のレイヤーに対する参照信号を受信し、
前記ダウンリンクサブフレームのデータ領域上で前記複数個のレイヤーに対するデータを受信し、
前記複数個のレイヤーに対する参照信号を用いて前記複数個のレイヤーに対するデータを復調すること、を含み、
前記複数個のレイヤーに対する参照信号は、専用参照信号（Ｄｅｄｉｃａｔｅｄ  Ｒｅｆｅｒｅｎｃｅ  Ｓｉｇｎａｌ）であり、
前記参照信号の多重化は、前記参照信号のパターンに含まれる２４個のリソース要素位置を６個のグループに設定し、前記６個のグループを２個の上位グループに設定し、前記２個の上位グループに前記複数個のレイヤーに対する参照信号を配分し、同じグループに配置される２以上のレイヤーに対する参照信号は、コード分割多重化（Ｃｏｄｅ  Ｄｉｖｉｓｉｏｎ  Ｍｕｌｔｉｐｌｅｘｉｎｇ）されることを含む、ダウンリンク信号受信方法。
（項目７）
前記レイヤーの個数が２の場合に、２個のレイヤーに対する参照信号は一つの上位グループにのみ配置される、項目６に記載のダウンリンク信号受信方法。
（項目８）
前記レイヤーの個数が３、５または７の場合に、前記複数個のレイヤーに対する参照信号は、一つの上位グループに、他の上位グループに比べて一つのレイヤーに対する参照信号がさらに配置される、項目６に記載のダウンリンク信号受信方法。
（項目９）
前記レイヤーの個数が４、６または８の場合に、前記複数個のレイヤーに対する参照信号は、前記２個の上位グループに同じ個数のレイヤーに対する参照信号が配置される、項目６に記載のダウンリンク信号受信方法。
（項目１０）
前記参照信号のコード分割多重化は、
同じ周波数リソース上で互いに異なる時間リソースにわたって直交コードがかけられる方式、及び同じ時間リソース上で互いに異なる周波数リソースにわたって直交コードがかけられる方式の１以上の方式を用いる、項目６に記載のダウンリンク信号受信方法。
（項目１１）
複数個のレイヤーを用いてダウンリンク信号を転送する基地局であって、
複数個のアンテナと、
前記複数個のアンテナを通して端末から信号を受信する受信モジュールと、
前記複数個のアンテナを通して前記端末に信号を転送する転送モジュールと、
前記複数個のアンテナ、前記受信モジュール及び前記転送モジュールを含む前記基地局を制御するプロセッサと、
を含み、
前記プロセッサは、
前記転送モジュールを介して、ダウンリンクサブフレームのデータ領域上で参照信号パターンに基づいて前記複数個のレイヤーに対する参照信号を多重化して転送し、
前記転送モジュールを介して、前記ダウンリンクサブフレームのデータ領域上で前記複数個のレイヤーに対するデータを転送するように構成され、
前記複数個のレイヤーに対する参照信号は、前記端末が前記複数個のレイヤーに対するデータを復調するために用いられる専用参照信号（Ｄｅｄｉｃａｔｅｄ  Ｒｅｆｅｒｅｎｃｅ  Ｓｉｇｎａｌ）であり、
前記参照信号の多重化は、前記参照信号のパターンに含まれる２４個のリソース要素位置を６個のグループに設定し、前記６個のグループを２個の上位グループに設定し、前記２個の上位グループに前記複数個のレイヤーに対する参照信号を配分し、同じグループに配置される２以上のレイヤーに対する参照信号はコード分割多重化（Ｃｏｄｅ  Ｄｉｖｉｓｉｏｎ  Ｍｕｌｔｉｐｌｅｘｉｎｇ）されることを含む、ダウンリンク信号転送基地局。
（項目１２）
複数個のレイヤーを用いてダウンリンク信号を受信する端末であって、
複数個のアンテナと、
前記複数個のアンテナを通して基地局から信号を受信する受信モジュールと、
前記複数個のアンテナを通して前記基地局に信号を転送する転送モジュールと、
前記複数個のアンテナ、前記受信モジュール及び前記転送モジュールを含む前記基地局を制御するプロセッサと、
を含み、
前記プロセッサは、
前記受信モジュールを介して、ダウンリンクサブフレームのデータ領域上で参照信号パターンに基づいて多重化された前記複数個のレイヤーに対する参照信号を受信し、
前記受信モジュールを介して、前記ダウンリンクサブフレームのデータ領域上で前記複数個のレイヤーに対するデータを受信し、
前記複数個のレイヤーに対する参照信号を用いて前記複数個のレイヤーに対するデータを復調するように構成され、
前記複数個のレイヤーに対する参照信号は、専用参照信号（Ｄｅｄｉｃａｔｅｄ  Ｒｅｆｅｒｅｎｃｅ  Ｓｉｇｎａｌ）であり、
前記参照信号の多重化は、前記参照信号のパターンに含まれる２４個のリソース要素位置を６個のグループに設定し、前記６個のグループを２個の上位グループに設定し、前記２個の上位グループに前記複数個のレイヤーに対する参照信号を配分し、同じグループに配置される２以上のレイヤーに対する参照信号はコード分割多重化（Ｃｏｄｅ  Ｄｉｖｉｓｉｏｎ  Ｍｕｌｔｉｐｌｅｘｉｎｇ）されることを含む、ダウンリンク信号受信端末。
【手続補正３】
【補正対象書類名】明細書
【補正対象項目名】０１８５
【補正方法】変更
【補正の内容】
【０１８５】
ランク８の場合に、第１の上位グループに４個のレイヤーに対するＤＲＳをＣＤＭ方式で多重化して配置し、第２の上位グループに４個のレイヤーに対するＤＲＳをＣＤＭ方式で多重化して配置することができる。
【国際調査報告】
2013507033.tif 000067
2013507033.tif 000068
2013507033.tif 000069
2013507033.tif 000070